(57)【要約】【課題】高速にプリチャージ可能なプリチャージスイッチを駆動する。【解決手段】電気光学装置は、走査線、信号線、走査線と信号線との交差に対応して設けられる画素、プリチャージ制御信号に基づいて信号線にプリチャージ信号を供給するプリチャージ回路、プリチャージ回路にプリチャージ制御信号を供給するプリチャージ制御信号線およびプリチャージ回路にプリチャージ信号を供給するプリチャージ電源線を含む電気光学パネルと、信号線に画像信号を供給する信号線駆動回路とを備え、プリチャージ回路は、プリチャージ制御信号に応じて、信号線とプリチャージ電源線との間の電気的な接続状態を導通状態と非導通状態との間で切り替えるプリチャージ用のスイッチング素子と、プリチャージ制御信号線を介して受けるプリチャージ制御信号をプリチャージ用のスイッチング素子に出力するバッファー回路とを備える。【選択図】図２
2020013074.tif 000002
【特許請求の範囲】
【請求項１】
走査線、信号線、前記走査線と前記信号線との交差に対応して設けられる画素、プリチャージ制御信号に基づいて前記信号線にプリチャージ信号を供給するプリチャージ回路、前記プリチャージ回路に前記プリチャージ制御信号を供給するプリチャージ制御信号線および前記プリチャージ回路に前記プリチャージ信号を供給するプリチャージ電源線を含む電気光学パネルと、
前記信号線に画像信号を供給する信号線駆動回路とを備え、
前記プリチャージ回路は、
前記プリチャージ制御信号に応じて、前記信号線と前記プリチャージ電源線との間の電気的な接続状態を導通状態と非導通状態との間で切り替えるプリチャージ用のスイッチング素子と、
前記プリチャージ制御信号線を介して受ける前記プリチャージ制御信号を前記プリチャージ用のスイッチング素子に出力するバッファー回路とを備えている、
ことを特徴とする電気光学装置。
【請求項２】
前記バッファー回路に電源電圧を供給する高電位側電源線および低電位側電源線のうちの低電位側電源線に電位を与える第１電源と、
前記第１電源とは分離され、非選択状態の前記走査線に電位を与える第２電源とを備えている、
ことを特徴とする請求項１に記載の電気光学装置。
【請求項３】
前記電気光学パネルにおいて、前記プリチャージ電源線が接続されるプリチャージ電源端子および前記バッファー回路の低電位側電源線が接続される第１電源端子の一方、または、前記プリチャージ電源端子および前記第１電源端子の両方は、前記信号線駆動回路から前記画像信号を受ける画像信号端子が配置される辺とは異なる辺に配置される、
ことを特徴とする請求項２に記載の電気光学装置。
【請求項４】
前記プリチャージ電源端子および前記第１電源端子の一方を含む端子群、または、前記プリチャージ電源端子および前記第１電源端子の両方を含む端子群に接続されるフレキシブルプリント基板を備えている、
ことを特徴とする請求項３に記載の電気光学装置。
【請求項５】
前記電気光学パネルにおいて、前記プリチャージ制御信号線が接続されるプリチャージ制御信号端子は、前記画像信号端子が配置される辺と同じ辺に配置される、
ことを特徴とする請求項３または４に記載の電気光学装置。
【請求項６】
前記電気光学パネルは、
検査線と、
前記信号線と前記検査線との間の電気的な接続状態を導通状態と非導通状態との間で切り替える検査用のスイッチング素子と、
前記検査用のスイッチング素子の状態を制御する検査制御信号を前記検査用のスイッチング素子に出力する検査選択回路とを備えている、
ことを特徴とする請求項１から５のいずれか１項に記載の電気光学装置。
【請求項７】
前記検査選択回路は、前記画像信号に応じて画像を表示する通常動作では、前記検査制御信号を用いて、前記検査用のスイッチング素子を非導通状態に設定する、
ことを特徴とする請求項６に記載の電気光学装置。
【請求項８】
前記検査用のスイッチング素子は、ゲートで受ける電圧に応じて、導通状態または非導通状態に設定される第１のトランジスターであり、
前記プリチャージ用のスイッチング素子は、ゲートで受ける電圧に応じて、導通状態または非導通状態に設定される第２のトランジスターであり、
前記第１のトランジスターのゲート幅Ｗおよびゲート長Ｌの比Ｗ／Ｌは、前記第２のトランジスターのゲート幅Ｗおよびゲート長Ｌの比Ｗ／Ｌより小さい、
ことを特徴とする請求項６または７に記載の電気光学装置。
【請求項９】
前記電気光学パネルにおいて、前記画像信号が入力される前記信号線の入力端を始点にして前記信号線の延在する方向を第１方向とする場合、前記プリチャージ用のスイッチング素子および前記検査用のスイッチング素子は、前記画素を含む画素領域に対して前記第１方向の側に配置され、前記バッファー回路は、前記プリチャージ用のスイッチング素子および前記検査用のスイッチング素子に対して前記第１方向の側に配置され、前記検査選択回路は、前記バッファー回路に対して前記第１方向の側に配置される、
ことを特徴とする請求項６から８のいずれか１項に記載の電気光学装置。
【請求項１０】
前記信号線は、複数であり、
前記プリチャージ用のスイッチング素子は、複数の前記信号線の各々に対応して設けられ、
前記電気光学パネルは、前記信号線を検査する検査動作において、複数の前記信号線のうちの検査対象の前記信号線に対応する前記プリチャージ用のスイッチング素子を選択する検査制御信号を前記バッファー回路に出力する検査選択回路を備え、
前記バッファー回路は、前記プリチャージ用のスイッチング素子に対応して設けられ、前記検査動作では、対応する前記プリチャージ用のスイッチング素子が前記検査制御信号により選択されている場合、前記プリチャージ制御信号を前記プリチャージ用のスイッチング素子に出力し、対応する前記プリチャージ用のスイッチング素子が前記検査制御信号で選択されていない場合、前記プリチャージ用のスイッチング素子を非導通状態に設定し、前記画像信号に応じて画像を表示する通常動作では、前記プリチャージ制御信号を前記プリチャージ用のスイッチング素子に出力する、
ことを特徴とする請求項１から５のいずれか１項に記載の電気光学装置。
【請求項１１】
前記電気光学パネルにおいて、前記画像信号が入力される前記信号線の入力端を始点にして前記信号線の延在する方向を第１方向とする場合、前記プリチャージ用のスイッチング素子は、前記画素を含む画素領域に対して前記第１方向の側に配置され、前記バッファー回路は、前記プリチャージ用のスイッチング素子に対して前記第１方向の側に配置され、前記検査選択回路は、前記バッファー回路に対して前記第１方向の側に配置される、
ことを特徴とする請求項１０に記載の電気光学装置。
【請求項１２】
前記電気光学パネルは、前記プリチャージ制御信号線に検査信号を供給する検査パッドを備え、
前記プリチャージ制御信号線は、複数であり、
前記電気光学パネル内で複数の前記プリチャージ制御信号線のうちの１つが前記検査パッドに接続され、
前記電気光学パネルは、製造工程における切断工程で、前記電気光学パネルの外形を規定する外形線に沿って切断され、
複数の前記プリチャージ制御信号線は、前記切断工程より前の工程である検査工程では、前記外形線をまたいで配置され、前記電気光学パネルの外側で互いに接続されている、
ことを特徴とする請求項１から１１のいずれか１項に記載の電気光学装置。
【請求項１３】
請求項１から１２のいずれか１項に記載の電気光学装置を備えることを特徴とする電子機器。
【発明の詳細な説明】
【技術分野】
【０００１】
本発明は、電気光学装置および電子機器に関する。
【背景技術】
【０００２】
液晶素子を用いて画像を表示する電気光学装置は、各画素の階調を指定する画像信号に基づくビデオ電圧を、信号線を介して各画素に供給することで、各画素が有する液晶の透過率をビデオ電圧に基づく透過率に制御する。この結果、各画素の階調は、画像信号で指定される階調に設定される。
【０００３】
各画素にビデオ電圧を供給する時間を十分に確保できない場合等、各画素へのビデオ電圧の書き込みが不十分な場合には、各画素が画像信号の指定する階調を正確に表示することができない場合がある。このため、従来の電気光学装置では、例えば、信号線を所定の電圧レベルに予め充電するプリチャージを実行することで、各画素に対するビデオ電圧の書き込み不足を対策している。例えば、特許文献１には、１水平走査期間に、全ての信号線に対するプリチャージと、ビデオ電圧の画素への書き込みとを時分割で実行する液晶装置が開示されている。また、特許文献２には、１水平走査期間に、複数の信号線のうちの一部の信号線に対するプリチャージと、ビデオ電圧の画素への書き込みとを同時に実行する電気光学装置が開示されている。
【０００４】
この種の電気光学装置では、信号線は、プリチャージ信号が供給されるプリチャージ電源線に、プリチャージ用のスイッチング素子を介して接続される。例えば、プリチャージ用のスイッチング素子は、プリチャージ制御信号線に接続される制御端子を有し、プリチャージ制御信号線を介して制御端子に供給されるプリチャージ制御信号のレベルに応じて、導通状態または非導通状態に設定される。
【０００５】
プリチャージ用のスイッチング素子から信号線に流れる電流を大きくするほど、プリチャージを高速に実行することができる。
【先行技術文献】
【特許文献】
【０００６】
【特許文献１】再表９９／００４３８４号公報
【特許文献２】特開２０１５−１０６１０８号公報
【発明の概要】
【発明が解決しようとする課題】
【０００７】
しかし、プリチャージ用のスイッチング素子から信号線に流れる電流を大きくするためにプリチャージ用のスイッチング素子の能力を高くすると、プリチャージ用のスイッチング素子を駆動する際の駆動負荷も大きくなる。このため、プリチャージ用のスイッチング素子の制御端子をプリチャージ制御信号線で直接制御する従来の構成では、高速にプリチャージ可能なプリチャージ用のスイッチング素子を駆動できない場合がある。
【課題を解決するための手段】
【０００８】
上記課題を解決するために本発明の電気光学装置の一態様は、走査線、信号線、前記走査線と前記信号線との交差に対応して設けられる画素、プリチャージ制御信号に基づいて前記信号線にプリチャージ信号を供給するプリチャージ回路、前記プリチャージ回路に前記プリチャージ制御信号を供給するプリチャージ制御信号線および前記プリチャージ回路に前記プリチャージ信号を供給するプリチャージ電源線を含む電気光学パネルと、前記信号線に画像信号を供給する信号線駆動回路とを備え、前記プリチャージ回路は、前記プリチャージ制御信号に応じて、前記信号線と前記プリチャージ電源線との間の電気的な接続状態を導通状態と非導通状態との間で切り替えるプリチャージ用のスイッチング素子と、前記プリチャージ制御信号線を介して受ける前記プリチャージ制御信号を前記プリチャージ用のスイッチング素子に出力するバッファー回路とを備えている。
【図面の簡単な説明】
【０００９】
【図１】本発明の第１実施形態に係る電気光学装置の説明図である。
【図２】第１実施形態に係る電気光学装置の構成を示すブロック図である。
【図３】画素の構成を示す回路図である。
【図４】第１実施形態に係る電気光学装置の動作タイミングの一例を示す図である。
【図５】第２実施形態に係る電気光学装置の構成を示すブロック図である。
【図６】プリチャージ回路および検査選択回路の構成を示す回路図である。
【図７】互いに隣接する信号線の短絡を検査する際に電気光学パネルに供給する信号の一例を示す図である。
【図８】互いに隣接する信号線の短絡を検査する短絡検査の説明図である。
【図９】信号線の断線を検査する際に電気光学パネルに供給する信号の一例を示す図である。
【図１０】信号線の断線を検査する断線検査の説明図である。
【図１１】プリチャージ信号の経路の断線を検査する際に電気光学パネルに供給する信号の一例を示す図である。
【図１２】プリチャージ信号の経路の断線を検査する断線検査の説明図である。
【図１３】電気光学パネルの端子配置の一例を示す図である。
【図１４】第３実施形態に係る電気光学装置のプリチャージ回路および検査選択回路の構成を示す回路図である。
【図１５】第４実施形態に係る電気光学装置の構成を示すブロック図である。
【図１６】プリチャージ回路および検査選択回路の構成を示す回路図である。
【図１７】信号線の状態を検査する際に電気光学パネルに供給する信号の一例を示す図である。
【図１８】互いに隣接する信号線の短絡を検査する短絡検査の説明図である。
【図１９】信号線の断線を検査する断線検査の説明図である。
【図２０】第５実施形態に係る電気光学装置の構成を示すブロック図である。
【図２１】プリチャージ回路および検査選択回路の構成を示す回路図である。
【図２２】互いに隣接する信号線の短絡を検査する短絡検査の一例の説明図である。
【図２３】互いに隣接する信号線の短絡を検査する短絡検査の別の例の説明図である。
【図２４】互いに隣接する信号線の短絡を検査する短絡検査の別の例の説明図である。
【図２５】信号線の断線を検査する断線検査の一例の説明図である。
【図２６】信号線の断線を検査する断線検査の別の例の説明図である。
【図２７】第６実施形態に係る電気光学装置のプリチャージ回路および検査選択回路の構成を示す回路図である。
【図２８】信号線の状態を検査する際に電気光学パネルに供給する信号の一例を示す図である。
【図２９】電気光学パネルの端子配置の一例を示す図である。
【図３０】電子機器の一例であるパーソナルコンピューターを示す斜視図である。
【図３１】電子機器の一例であるスマートフォンを示す正面図である。
【図３２】電子機器の一例である投射型表示装置を示す模式図である。
【発明を実施するための形態】
【００１０】
＜第１実施形態＞
本発明の第１実施形態について図１から図４を参照しつつ説明する。図１は、本発明の第１実施形態に係る電気光学装置１の説明図である。なお、図１は、電気光学装置１に対する信号伝送系の構成を示す。電気光学装置１は、電気光学パネル１００と、ドライバーＩＣ（Integrated Circuit）等の駆動用集積回路２００と、フレキシブル回路基板３００とを有する。電気光学パネル１００は、駆動用集積回路２００が搭載されるフレキシブル回路基板３００に接続される。また、電気光学パネル１００は、フレキシブル回路基板３００および駆動用集積回路２００を介して、図示しないホストＣＰＵ（Central Processing Unit）装置に接続される。駆動用集積回路２００は、画像信号および駆動制御のための各種の制御信号をホストＣＰＵ装置からフレキシブル回路基板３００を介して受信し、フレキシブル回路基板３００を介して電気光学パネル１００を駆動する装置である。フレキシブル回路基板３００は、フレキシブルプリント基板の一例である。
【００１１】
電気光学装置１は、液晶素子を用いて画像を表示する。例えば、電気光学装置１は、各画素の階調を指定する画像信号に基づくビデオ電圧を、信号線を介して各画素に供給することで、各画素が有する液晶の透過率をビデオ電圧に基づく透過率に制御する。この結果、各画素の階調は、画像信号で指定される階調に設定される。なお、電気光学装置１では、電気光学材料の電気的な劣化を防止するため、液晶素子に印加する電圧の極性を一定周期毎に反転する極性反転駆動が採用される。例えば、電気光学装置１は、信号線を介して画素に供給する画像信号のレベルを、画像信号の中心電圧に対して１垂直走査期間毎に反転する。なお、極性を反転させる周期は任意に設定することができ、例えば、垂直走査期間の自然数倍であってもよい。本明細書においては、画像信号の電圧が中心電圧等の所定電圧に対して高電圧となる場合を正極性とし、画像信号の電圧が所定電圧に対して低電圧となる場合を負極性とする。
【００１２】
図２は、第１実施形態に係る電気光学装置１の構成を示すブロック図である。電気光学装置１の電気光学パネル１００は、ｍ本の走査線１１０、ｎ本の信号線１１１、プリチャージ制御信号線１１３、プリチャージ電源線１１５、画素領域１２０、走査線駆動回路１３０、ｋ個のデマルチプレクサー１４０［１］〜１４０［ｋ］およびプリチャージ回路１５０を有する。なお、ｍ、ｎおよびｋは、自然数である。図２に示す例では、ｎ本の信号線１１１が８個の信号線１１１を含むｋ個の信号線群に分類されるため、ｋはｎを８で除算して得られる値である。電気光学装置１の駆動用集積回路２００は、信号線１１１に画像信号Ｓを供給する信号線駆動回路２１０、プリチャージ電源２２０、第１電源２３０、第２電源２３２および第３電源２３４を有する。なお、駆動用集積回路２００は、プリチャージ電源２２０、第１電源２３０、第２電源２３２および第３電源２３４の各電源と信号線駆動回路２１０とを分離した形態としてもよい。
【００１３】
画素領域１２０は、ｍ本の走査線１１０とｎ本の信号線１１１との各交差に対応して設けられる画素１２２を含む。画素１２２は、図３に示すように、印加電圧に応じて透過率が変化する液晶１２３ｃを有する。液晶１２３ｃに印加される電圧に応じて液晶１２３ｃの透過率が変化することにより、画素１２２の表示階調が変化する。図２では、図の一番上側に記載された画素１２２の行を１行目とし、図の一番左側に記載された画素１２２の列を１列目とする。
【００１４】
走査線駆動回路１３０は、第２電源２３２および第３電源２３４から供給される電源電圧で動作し、駆動用集積回路２００から受ける制御信号に基づいて走査信号Ｇ［１］〜Ｇ［ｍ］を生成し、走査信号Ｇ［１］〜Ｇ［ｍ］をｍ本の走査線１１０の各々に出力する。例えば、走査線駆動回路１３０は、垂直走査期間内に各走査線１１０に対する走査信号Ｇ［１］〜Ｇ［ｍ］を１水平走査期間毎に順次アクティブにする。走査信号Ｇは、第３電源２３４に基づいて生成されるハイレベル等の選択電圧に維持されている期間にアクティブとなり、第２電源２３２に基づいて生成されるローレベル等の非選択電圧に維持されている期間に非アクティブとなる。すなわち、第３電源２３４は、選択状態の走査線１１０に電位を与え、第２電源２３２は、非選択状態の走査線１１０に電位を与える。
【００１５】
例えば、第ｐ行に対応する走査信号Ｇ［ｐ］が選択電圧に維持されている期間では、第ｐ行に対応する走査線１１０が選択状態であり、第ｐ行のｎ個の画素１２２の各々が有する各液晶１２３ｃは、ｎ本の信号線１１１にそれぞれ電気的に接続される。なお、ｐは、１〜ｍの自然数である。また、走査信号Ｇ［ｐ］が非選択電圧に維持されている期間では、第ｐ行に対応する走査線１１０が非選択状態であり、第ｐ行のｎ個の画素１２２の各々が有する各液晶１２３ｃとｎ本の信号線１１１との間の電気的な接続状態は、非導通状態である。
【００１６】
ｋ個のデマルチプレクサー１４０［１］〜１３０［ｋ］は、ｋ個の信号線群にそれぞれ対応している。例えば、ｋ個のデマルチプレクサー１４０［１］〜１４０［ｋ］は、信号線駆動回路２１０からｋ本のデータ線１１２［１］〜１１２［ｋ］にそれぞれ供給される画像信号Ｓをそれぞれ受ける。なお、本実施形態では、信号線１１１を８本単位で区分しているため、１本のデータ線１１２に８画素分の画像信号Ｓが信号線駆動回路２１０から時分割で供給される。したがって、各デマルチプレクサー１４０は、対応する信号線群に含まれる８本の信号線１１１に画像信号Ｓを時分割で供給する。
【００１７】
各デマルチプレクサー１４０は、対応する信号線群に含まれる８本の信号線１１１にそれぞれ接続される８個の書き込みスイッチ１４２［１］〜１４２［８］を有する。すなわち、ｉを１〜ｋの自然数とすると、デマルチプレクサー１４０［ｉ］の８個の書き込みスイッチ１４２［１］〜１４２［８］の各々の一方の接点は、８×ｉ−７列目から８×ｉ列目までの８本の信号線１１１にそれぞれ接続される。そして、デマルチプレクサー１４０［ｉ］の８個の書き込みスイッチ１４２［１］〜１４２［８］の各々の他方の接点、すなわち、信号線１１１に接続されていない接点は、データ線１１２［ｉ］に共通に接続される。ｋ本のデータ線１１２［１］〜１１２［ｋ］は、フレキシブル回路基板３００を介して駆動用集積回路２００の信号線駆動回路２１０に接続される。なお、電気光学パネル１００の端子配置は、例えば、図１３に示す電気光学パネル１００Ａの端子配置と同様である。
【００１８】
書き込みスイッチ１４２［１］〜１４２［８］は、例えば、ＴＦＴ（thin film transistor）等で構成されるＮチャネル型のトランジスターであり、ゲート等の制御端子で受ける書き込み選択信号ＳＬ［１］〜ＳＬ［８］のレベルに応じて、導通状態と非導通状態とのいずれかに設定される。なお、書き込みスイッチ１４２［１］〜１４２［８］は、Ｐチャネル型のトランジスターでもよいし、ＴＦＴ以外のスイッチング素子でもよい。以下では、書き込み選択信号ＳＬ［ｊ］で制御される書き込みスイッチ１４２［ｊ］は、第ｊ系列の書き込みスイッチ１４２とも称される。なお、ｊは、１以上８以下の自然数である。また、第ｊ系列の書き込みスイッチ１４２［ｊ］に接続される信号線１１１は、第ｊ系列の信号線１１１とも称される。したがって、書き込み選択信号ＳＬの符号の角括弧内の数字等は、制御対象の信号線１１１の系列番号に対応する。同様に、後述するプリチャージ制御信号ＰＳＬの角括弧内の数字等も、制御対象の信号線１１１の系列番号に対応する。
【００１９】
各デマルチプレクサー１４０の８個の書き込みスイッチ１４２［１］〜１４２［８］は、書き込み選択信号ＳＬ［１］〜ＳＬ［８］を、駆動用集積回路２００の信号線駆動回路２１０から書き込み選択信号線１１４を介して受ける。書き込み選択信号線１１４は、フレキシブル回路基板３００を介して駆動用集積回路２００の信号線駆動回路２１０に接続される。書き込み選択信号ＳＬ［１］〜ＳＬ［８］は、信号線１１１に画像信号Ｓを出力する開始タイミングを指定する。
【００２０】
例えば、１個の書き込み選択信号ＳＬ［１］がハイレベル、他の７個の書き込み選択信号ＳＬ［２］〜ＳＬ［８］がローレベルである場合には、ｋ個のデマルチプレクサー１４０［１］〜１４０［ｋ］の各々に含まれるｋ個の書き込みスイッチ１４２［１］のみが導通状態となる。したがって、ｋ個のデマルチプレクサー１４０［１］〜１４０［ｋ］の各々は、ｋ本のデータ線１１２に供給される画像信号Ｓを各信号線群の第１系列の信号線１１１にそれぞれ出力する。以下、同様にして、ｋ個のデマルチプレクサー１４０［１］〜１４０［ｋ］の各々は、ｋ本のデータ線１１２に供給される画像信号Ｓを各信号線群の第２系列、第３系列、第４系列、第５系列、第６系列、第７系列および第８系列の信号線１１１にそれぞれ出力する。
【００２１】
プリチャージ回路１５０は、プリチャージ制御信号ＰＳＬ［１］〜ＰＳＬ［８］に基づいて信号線１１１にプリチャージ信号ＰＲＣを供給する。なお、プリチャージ制御信号ＰＳＬ［１］〜ＰＳＬ［８］は、信号線駆動回路２１０からプリチャージ制御信号線１１３を介してプリチャージ回路１５０に供給される。また、プリチャージ信号ＰＲＣは、プリチャージ電源２２０からプリチャージ電源線１１５を介してプリチャージ回路１５０に供給される。すなわち、プリチャージ制御信号線１１３は、プリチャージ回路１５０にプリチャージ制御信号ＰＳＬ［１］〜ＰＳＬ［８］を供給し、プリチャージ電源線１１５は、プリチャージ回路１５０にプリチャージ信号ＰＲＣを供給する。
【００２２】
例えば、プリチャージ回路１５０は、ｋ個の信号線群にそれぞれ対応して設けられるｋ個のプリチャージ選択回路１６０［１］〜１６０［ｋ］と、ｋ個のプリチャージ選択回路１６０［１］〜１６０［ｋ］にそれぞれ対応して設けられるｋ個のスイッチ駆動回路１７０［１］〜１７０［ｋ］とを有する。
【００２３】
各プリチャージ選択回路１６０は、対応する信号線群に含まれる８本の信号線１１１にそれぞれ接続される８個のプリチャージスイッチ１６２［１］〜１６２［８］を有する。すなわち、プリチャージスイッチ１６２は、信号線１１１に対応して設けられる。例えば、プリチャージ選択回路１６０［ｉ］の８個のプリチャージスイッチ１６２［１］〜１６２［８］の各々の一方の接点は、８×ｉ−７列目から８×ｉ列目までの８本の信号線１１１にそれぞれ接続される。そして、プリチャージ選択回路１６０［ｉ］の８個のプリチャージスイッチ１６２［１］〜１６２［８］の各々の他方の接点、すなわち、信号線１１１に接続されていない接点は、プリチャージ電源線１１５に共通に接続される。プリチャージ電源線１１５は、フレキシブル回路基板３００を介して駆動用集積回路２００のプリチャージ電源２２０に接続される。
【００２４】
プリチャージスイッチ１６２［１］〜１６２［８］は、プリチャージ制御信号ＰＳＬ［１］〜ＰＳＬ［８］に応じて、信号線１１１とプリチャージ電源線１１５との間の電気的な接続状態を導通状態と非導通状態との間で切り替える。例えば、プリチャージスイッチ１６２［１］〜１６２［８］は、ＴＦＴ等で構成されるＮチャネル型のトランジスターであり、ゲート等の制御端子で受けるプリチャージ制御信号ＰＳＬ［１］〜ＰＳＬ［８］のレベルに応じて、導通状態と非導通状態とのいずれかに設定される。なお、プリチャージスイッチ１６２［１］〜１６２［８］は、Ｐチャネル型のトランジスターでもよいし、ＴＦＴ以外のスイッチング素子でもよい。プリチャージスイッチ１６２は、プリチャージ用のスイッチング素子の一例である。
【００２５】
各プリチャージ選択回路１６０の８個のプリチャージスイッチ１６２［１］〜１６２［８］は、プリチャージ制御信号ＰＳＬ［１］〜ＰＳＬ［８］を、駆動用集積回路２００の信号線駆動回路２１０からプリチャージ制御信号線１１３およびスイッチ駆動回路１７０を介して受ける。プリチャージ制御信号線１１３は、フレキシブル回路基板３００を介して駆動用集積回路２００の信号線駆動回路２１０に接続される。プリチャージ制御信号ＰＳＬ［１］〜ＰＳＬ［８］は、信号線１１１にプリチャージ信号ＰＲＣを出力する開始タイミングを指定する。
【００２６】
例えば、１個のプリチャージ制御信号ＰＳＬ［１］がハイレベル、他の７個のプリチャージ制御信号ＰＳＬ［２］〜ＰＳＬ［８］がローレベルである場合には、ｋ個のプリチャージ選択回路１６０［１］〜１６０［ｋ］の各々に含まれるｋ個のプリチャージスイッチ１６２［１］のみが導通状態となる。したがって、ｋ個のプリチャージ選択回路１６０［１］〜１６０［ｋ］の各々は、プリチャージ電源線１１５に供給されるプリチャージ信号ＰＲＣを各信号線群の第１系列の信号線１１１にそれぞれ出力する。以下、同様にして、ｋ個のプリチャージ選択回路１６０［１］〜１６０［ｋ］の各々は、プリチャージ電源線１１５に供給されるプリチャージ信号ＰＲＣを各信号線群の第２系列、第３系列、第４系列、第５系列、第６系列、第７系列および第８系列の信号線１１１にそれぞれ出力する。
【００２７】
各スイッチ駆動回路１７０は、第１電源２３０および第３電源２３４から供給される電源電圧で動作する８個のバッファー回路１７２［１］〜１７２［８］を有する。例えば、バッファー回路１７２は、直列に接続される偶数個のインバーターにより構成される。なお、バッファー回路１７２の構成は、直列に接続される偶数個のインバーターに限定されない。
【００２８】
スイッチ駆動回路１７０［ｉ］の８個のバッファー回路１７２［１］〜１７２［８］の入力端子は、第１系列から第８系列までの８本のプリチャージ制御信号線１１３にそれぞれ接続される。そして、スイッチ駆動回路１７０［ｉ］の８個のバッファー回路１７２［１］〜１７２［８］の出力端子は、プリチャージ選択回路１６０［ｉ］の８個のプリチャージスイッチ１６２［１］〜１６２［８］の制御端子にそれぞれ接続される。すなわち、バッファー回路１７２は、プリチャージ制御信号線１１３を介して受けるプリチャージ制御信号ＰＳＬをプリチャージスイッチ１６２の制御端子に出力する。
【００２９】
駆動用集積回路２００は、信号線駆動回路２１０と走査線駆動回路１３０とプリチャージ回路１５０とを同期制御する。信号線駆動回路２１０は、８画素分の画像信号Ｓを時系列的なシリアル信号として、各デマルチプレクサー１４０に出力する。例えば、信号線駆動回路２１０は、画像信号Ｓ［１］〜Ｓ［８］をデマルチプレクサー１４０［１］に順番に出力するとともに、画像信号Ｓ［ｎ−７］〜Ｓ［ｎ］をデマルチプレクサー１４０［ｋ］に順番に出力する。同じ系列の信号線１１１に供給される画像信号Ｓは、信号線駆動回路２１０から各デマルチプレクサー１４０に並列に出力される。すなわち、信号線駆動回路２１０は、同じ系列の信号線１１１に供給するそれぞれの画像信号Ｓを、複数の信号線群の各々に並列に出力する。
【００３０】
第１電源２３０は、第１の低電位側電源線１１６に電位を与え、第２電源２３２は、第２の低電位側電源線１１７に電位を与える。この結果、例えば、第１の低電位側電源線１１６に第１電源電圧ＶＳＳＸが供給され、第２の低電位側電源線１１７に第２電源電圧ＶＳＳＹが供給される。なお、第１電源２３０および第２電源２３２は、互いに分離している。
【００３１】
第３電源２３４は、第１の低電位側電源線１１６に与えられる電位および第２の低電位側電源線１１７に与えられる電位より高い電位を、高電位側電源線１１８に与える。この結果、第１電源電圧ＶＳＳＸおよび第２電源電圧ＶＳＳＹより高い第３電源電圧ＶＤＤＹが高電位側電源線１１８に供給される。
【００３２】
すなわち、第１電源２３０は、バッファー回路１７２に電源電圧を供給する高電位側電源線１１８および第１の低電位側電源線１１６のうちの第１の低電位側電源線１１６に電位を与える。また、第２電源２３２は、第１電源２３０とは分離され、非選択状態の走査線１１０に電位を与える。第２電源２３２が第１電源２３０から分離されているため、第１電源２３０の電位変動が走査線１１０に与える影響を低減することができる。次に、図３を用いて、画素１２２の構成を説明する。
【００３３】
図３は、画素１２２の構成を示す回路図である。各画素１２２は、液晶素子１２３、保持容量１２４および画素トランジスター１２５を有する。液晶素子１２３は、互いに対向する画素電極１２３ａおよびコモン電極１２３ｂと、画素電極１２３ａおよびコモン電極１２３ｂ間に配置される液晶１２３ｃとを含む電気光学素子である。画素電極１２３ａとコモン電極１２３ｂとの間の印加電圧に応じて液晶１２３ｃの透過率が変化することにより、表示階調が変化する。なお、コモン電極１２３ｂには、図示しないコモン線を介して、一定の電圧であるコモン電圧Ｖｃｏｍが供給される。
【００３４】
保持容量１２４は、液晶素子１２３と並列に設けられている。保持容量１２４の一方の端子は、画素トランジスター１２５に接続され、他方の端子は、図示しない容量線を介してコモン電極１２３ｂに接続される。
【００３５】
画素トランジスター１２５は、例えば、ＴＦＴ等で構成されるＮチャネル型のトランジスターであり、液晶素子１２３と信号線１１１との間に設けられる。そして、画素トランジスター１２５は、ゲートに接続される走査線１１０に供給される走査信号Ｇのレベルに応じて、導通状態と非導通状態とのいずれかに設定される。すなわち、画素トランジスター１２５は、液晶素子１２３と信号線１１１との間の電気的な接続を制御する。例えば、走査信号Ｇ［ｐ］が選択電圧に設定されることで、第ｐ行目の各画素１２２における画素トランジスター１２５が同時またはほぼ同時に導通状態に遷移する。
【００３６】
画素トランジスター１２５が導通状態に制御されると、液晶素子１２３には、信号線１１１から供給される画像信号Ｓが印加される。液晶１２３ｃは、画像信号Ｓが印加されることにより、画像信号Ｓに基づく透過率に設定される。また、図示しない光源が点灯状態になると、光源から出射される光は、画素１２２が有する液晶素子１２３の液晶１２３ｃを透過して、電気光学装置１の外部に出力される。すなわち、液晶素子１２３に画像信号Ｓが印加され、かつ、光源が点灯状態となることで、画素１２２は、画像信号Ｓに基づく階調を表示する。
【００３７】
また、液晶素子１２３と並列に設けられる保持容量１２４は、液晶素子１２３に印加される電圧に充電される。すなわち、各画素１２２は、画像信号Ｓに対応する電位を保持容量１２４に保持する。次に、図４を参照して、電気光学装置１の動作を説明する。
【００３８】
図４は、第１実施形態に係る電気光学装置１の動作タイミングの一例を示す図である。なお、図４は、正極性駆動における各水平走査期間Ｈの動作タイミングを示す。
【００３９】
第１水平走査期間Ｈ［１］は、画像信号Ｓに基づくビデオ電圧を１行目の画素１２２に書き込むための水平走査期間Ｈである。第１水平走査期間Ｈ［１］では、１行目の走査線１１０に供給される走査信号Ｇ［１］の電位がハイレベルに設定される。１行目以外の走査線１１０に供給される走査信号Ｇ［２］〜Ｇ［ｍ］は、ローレベルに維持される。書き込み選択信号ＳＬ［１］〜ＳＬ［８］の各々のハイレベルの期間は、書き込み選択信号ＳＬ［１］〜ＳＬ［８］の順に切り替わる。すなわち、第１系列の信号線１１１から第８系列の信号線１１１までの各系列の信号線１１１に対して、画像信号Ｓの供給期間が順番に割り当てられる。この結果、各系列の信号線１１１に画像信号Ｓが順番に供給される。
【００４０】
また、書き込み選択信号ＳＬ［１］〜ＳＬ［７］の各々のハイレベル期間の切り替わりに合わせて、プリチャージ制御信号ＰＳＬ［２］〜ＰＳＬ［８］の各々のハイレベル期間が切り替わる。例えば、プリチャージ制御信号ＰＳＬ［２］は、書き込み選択信号ＳＬ［１］がハイレベルに遷移するタイミングに同期してハイレベルに遷移し、所定時間経過後にローレベルに遷移する。プリチャージ制御信号ＰＳＬ［２］がハイレベルに維持されている第２系列のプリチャージ期間に、第２系列の信号線１１１に対するプリチャージが実行される。すなわち、第２系列のプリチャージ期間に、第２系列の信号線１１１にプリチャージ信号ＰＲＣが供給される。このため、第２系列の信号線１１１は、プリチャージ信号ＰＲＣに基づく正極性のプリチャージ電圧Ｖｐｒｃｐに充電される。なお、第１水平走査期間Ｈ［１］では、プリチャージ制御信号ＰＳＬ［１］は、ローレベルに維持される。
【００４１】
第２水平走査期間Ｈ［２］では、２行目の走査線１１０に供給される走査信号Ｇ［２］の電位がハイレベルに設定され、２行目以外の走査線１１０に供給される走査信号Ｇは、ローレベルに維持される。第２水平走査期間Ｈ［２］では、第１系列から第８系列までの各系列の信号線１１１に画像信号Ｓを順番に供給する際の順番が第１水平走査期間Ｈ［１］と異なる。例えば、書き込み選択信号ＳＬ［１］〜ＳＬ［８］の各々のハイレベルの期間は、書き込み選択信号ＳＬ［２］〜ＳＬ［８］、ＳＬ［１］の順に切り替わる。書き込み選択信号ＳＬ［２］〜ＳＬ［８］の各々のハイレベル期間の切り替わりに合わせて、プリチャージ制御信号ＰＳＬ［３］〜ＰＳＬ［８］、ＰＳＬ［１］の各々のハイレベル期間が順番に切り替わる。なお、第２水平走査期間Ｈ［２］では、プリチャージ制御信号ＰＳＬ［２］は、ローレベルに維持される。
【００４２】
第ｍ水平走査期間Ｈ［ｍ］では、ｍ行目の走査線１１０に供給される走査信号Ｇ［ｍ］の電位がハイレベルに設定され、ｍ行目以外の走査線１１０に供給される走査信号Ｇは、ローレベルに維持される。図４に示す例では、ｍは８の倍数である。第ｍ水平走査期間Ｈ［ｍ］では、第１系列から第８系列までの各系列の信号線１１１に画像信号Ｓを順番に供給する際の順番が第１水平走査期間Ｈ［１］と異なる。例えば、書き込み選択信号ＳＬ［１］〜ＳＬ［８］の各々のハイレベルの期間は、書き込み選択信号ＳＬ［８］、ＳＬ［１］〜ＳＬ［７］の順に切り替わる。書き込み選択信号ＳＬ［８］、ＳＬ［１］〜ＳＬ［６］の各々のハイレベル期間の切り替わりに合わせて、プリチャージ制御信号ＰＳＬ［１］〜ＰＳＬ［７］の各々のハイレベル期間が順番に切り替わる。なお、第ｍ水平走査期間Ｈ［ｍ］では、プリチャージ制御信号ＰＳＬ［８］は、ローレベルに維持される。図４に示す動作タイミングでは、電気光学装置１は、最初の供給期間に画像信号Ｓが供給される信号線１１１を８つの水平走査期間Ｈで異ならせる。
【００４３】
なお、負極性駆動における各水平走査期間Ｈの動作タイミングでは、プリチャージ動作で、プリチャージ信号ＰＲＣに基づく負極性のプリチャージ電圧に信号線１１１が充電される。走査信号Ｇ、書き込み選択信号ＳＬおよびプリチャージ制御信号ＰＳＬは、正極性駆動の場合と同様に制御される。
【００４４】
ところで、プリチャージスイッチ１６２を駆動する際の駆動負荷が大きくなるほど、プリチャージスイッチ１６２の状態を切り替えるバッファー回路１７２の駆動電流、すなわち、バッファー回路１７２の消費電流が大きくなる。このため、バッファー回路１７２に電源電圧を供給する高電位側電源線１１８および第１の低電位側電源線１１６には、プリチャージスイッチ１６２の状態を切り替える度に、ノイズが重畳される。例えば、第１の低電位側電源線１１６の電圧である第１電源電圧ＶＳＳＸは、プリチャージ制御信号ＰＳＬ［１］〜ＰＳＬ［８］のいずれかがハイレベルからローレベルに遷移する度に、第１の低電位側電源線１１６の配線抵抗によって上昇して元のレベルに戻る。
【００４５】
例えば、電気光学装置１の構成と異なる構成として、バッファー回路１７２と走査線駆動回路１３０とで電源が共有される構成が考えられる。バッファー回路１７２と走査線駆動回路１３０とで低電位側の電源が共有される場合、すなわち、第１の低電位側電源線１１６に第２電源２３２から電圧が供給される場合、図４に示す第１の低電位側電源線１１６の電位変動と同様のノイズが非選択状態の走査線１１０に重畳される。例えば、非選択状態の走査線１１０の電圧が図４の一点鎖線で示すレベルより高くなると、図３の画素トランジスター１２５が導通状態に遷移し、画素１２２からリーク電流が発生する。この場合、画素１２２からリーク電流が発生することにより表示画像の画質が低下する。
【００４６】
これに対し、電気光学装置１では、バッファー回路１７２の低電位側の電源である第１電源２３０と、走査線駆動回路１３０の低電位側の電源である第２電源２３２とが互いに分離されているため、プリチャージ動作に伴う電位変動は、非選択状態の走査線１１０に重畳されない。このため、電気光学装置１では、画像信号Ｓに基づく電位を保持している画素１２２からリーク電流が発生することを低減でき、表示画像の画質低下を抑制できる。なお、バッファー回路１７２が、直列に接続される偶数個のインバーターにより構成される場合、最終段のインバーターを含む一部のインバーターの低電位側の電源が走査線駆動回路１３０の低電位側の電源である第２電源２３２から分離され、他のインバーターの低電位側の電源は第２電源２３２と共有されてもよい。この場合でも、画像信号Ｓに基づく電位を保持している画素１２２からリーク電流が発生することを低減できる。
【００４７】
また、電気光学装置１では、バッファー回路１７２がプリチャージスイッチ１６２の制御端子を制御するため、プリチャージスイッチ１６２の制御端子をプリチャージ制御信号線１１３で直接制御する場合に比べて、駆動負荷の大きいプリチャージスイッチ１６２を駆動できる。すなわち、高速にプリチャージ可能なプリチャージスイッチ１６２を駆動することができる。
【００４８】
以上、第１実施形態では、電気光学装置１の電気光学パネル１００は、プリチャージスイッチ１６２およびバッファー回路１７２を含むプリチャージ回路１５０を有する。プリチャージスイッチ１６２は、プリチャージ制御信号線１１３に応じて、信号線１１１とプリチャージ電源線１１５との間の電気的な接続状態を導通状態と非導通状態との間で切り替える。バッファー回路１７２は、プリチャージ制御信号線１１３を介して受けるプリチャージ制御信号ＰＳＬをプリチャージスイッチ１６２に出力する。この結果、プリチャージスイッチ１６２の制御端子をプリチャージ制御信号線１１３で直接制御する場合に比べて、駆動負荷の大きいプリチャージスイッチ１６２を駆動することができる。すなわち、高速にプリチャージ可能なプリチャージスイッチ１６２を駆動することができる。
【００４９】
さらに、電気光学装置１は、バッファー回路１７２に電源電圧を供給する高電位側電源線１１８および第１の低電位側電源線１１６のうちの第１の低電位側電源線１１６に電位を与える第１電源２３０と、第１電源２３０とは分離され、非選択状態の走査線１１０に電位を与える第２電源２３２とを有する。電気光学装置１では、バッファー回路１７２の低電位側の電源である第１電源２３０と、走査線駆動回路１３０の低電位側の電源である第２電源２３２とが互いに分離されているため、プリチャージ動作に伴う電位変動が非選択状態の走査線１１０に重畳されることを抑制できる。この結果、電気光学装置１では、画像信号Ｓに基づく電位を保持している画素１２２からリーク電流が発生することを低減でき、表示画像の画質低下を抑制できる。
【００５０】
＜第２実施形態＞
第２実施形態と第１実施形態の主な相違点は、図５に示す電気光学パネル１００Ａが信号線１１１の断線等の検査に使用される検査選択回路１８０を有する点である。
【００５１】
図５は、第２実施形態に係る電気光学装置１Ａの構成を示すブロック図である。図１から図４で説明済みの要素と同一の要素については、同一の符号を付し、詳細な説明を省略する。図５の第１方向Ｄ１は、電気光学パネル１００Ａにおいて、画像信号Ｓが入力される信号線１１１の入力端を始点にして信号線１１１の延在する方向を示す。
【００５２】
電気光学装置１Ａは、図１の電気光学パネル１００の代わりに電気光学パネル１００Ａを有することを除いて、図１の電気光学装置１と同一である。例えば、電気光学装置１Ａは、電気光学パネル１００Ａと、駆動用集積回路２００と、図１のフレキシブル回路基板３００とを有する。駆動用集積回路２００は、図２の駆動用集積回路２００と同一である。
【００５３】
電気光学パネル１００Ａでは、検査選択回路１８０、図６に示す第１の検査パッド１８３等の検査パッドおよび検査線１１９が図２の電気光学パネル１００に追加されている。また、電気光学パネル１００Ａは、図２のプリチャージ回路１５０の代わりにプリチャージ回路１５１を有する。電気光学パネル１００Ａのその他の構成は、図２の電気光学パネル１００と同一である。例えば、電気光学パネル１００Ａは、ｍ本の走査線１１０、ｎ本の信号線１１１、プリチャージ制御信号線１１３、プリチャージ電源線１１５、画素領域１２０、走査線駆動回路１３０、ｋ個のデマルチプレクサー１４０［１］〜１４０［ｋ］、プリチャージ回路１５１および検査選択回路１８０を有する。また、電気光学パネル１００Ａは、図６に示す第１の検査パッド１８３等の検査パッドおよび検査線１１９を有する。なお、図５では、図を見やすくするために、検査パッドの記載を省略している。
【００５４】
プリチャージ回路１５１は、図２のプリチャージ選択回路１６０の代わりにプリチャージ選択回路１６１を有することを除いて、図２のプリチャージ回路１５０と同一である。例えば、プリチャージ回路１５１は、ｋ個の信号線群にそれぞれ対応して設けられるｋ個のプリチャージ選択回路１６１［１］〜１６１［ｋ］と、ｋ個のプリチャージ選択回路１６１［１］〜１６１［ｋ］にそれぞれ対応して設けられるｋ個のスイッチ駆動回路１７０［１］〜１７０［ｋ］とを有する。プリチャージ回路１５１の詳細は、図６で説明する。
【００５５】
検査選択回路１８０は、検査制御信号ＳＯＵＴ［１］〜ＳＯＵＴ［ｋ］をプリチャージ回路１５１に出力する。検査選択回路１８０の詳細は、図６で説明する。
【００５６】
図６は、プリチャージ回路１５１および検査選択回路１８０の構成を示す回路図である。図６の第１方向Ｄ１の意味は、図５の第１方向Ｄ１と同じである。符号１８３〜１８９は、検査工程等で使用される検査パッドを示す。例えば、第１の検査パッド１８３には、第１クロック信号ＣＬＫが供給され、第２の検査パッド１８４には、第１クロック信号ＣＬＫの反転信号である第２クロック信号ＣＬＫＢが供給される。また、第３の検査パッド１８５には、スタートパルスＤＸが供給され、第４の検査パッド１８６には、検査モード信号ＴＸが供給される。また、第５の検査パッド１８７［１］〜１８７［８］は、８本のプリチャージ制御信号線１１３にそれぞれ接続され、第６の検査パッド１８８［１］〜１８８［８］は、８本の検査線１１９にそれぞれ接続される。第７の検査パッド１８９には、第１電源電圧ＶＳＳＸおよび第２電源電圧ＶＳＳＹより高い第４電源電圧ＶＤＤＸが供給される。なお、図６では、図を見やすくするために、データ線１１２の検査パッド、書き込み選択信号線１１４の検査パッド、プリチャージ電源線１１５の検査パッドおよび第１の低電位側電源線１１６の検査パッド等の記載を省略している。
【００５７】
プリチャージ回路１５１は、ｋ個の信号線群にそれぞれ対応して設けられるｋ個のプリチャージ選択回路１６１［１］〜１６１［ｋ］と、ｋ個のプリチャージ選択回路１６１［１］〜１６１［ｋ］にそれぞれ対応して設けられるｋ個のスイッチ駆動回路１７０［１］〜１７０［ｋ］とを有する。スイッチ駆動回路１７０は、図２のスイッチ駆動回路１７０と同一である。
【００５８】
プリチャージ選択回路１６１は、検査スイッチ１６３が図２のプリチャージ選択回路１６０に追加されることを除いて、図２のプリチャージ選択回路１６０と同一である。例えば、各プリチャージ選択回路１６１は、対応する信号線群に含まれる８本の信号線１１１にそれぞれ接続される８個のプリチャージスイッチ１６２［１］〜１６２［８］と、８個のプリチャージスイッチ１６２［１］〜１６２［８］にそれぞれ対応して設けられる８個の検査スイッチ１６３［１］〜１６３［８］とを有する。プリチャージスイッチ１６２［１］〜１６２［８］は、図２のプリチャージスイッチ１６２［１］〜１６２［８］と同一である。
【００５９】
プリチャージ選択回路１６１［ｉ］の８個の検査スイッチ１６３［１］〜１６３［８］の各々の一方の接点は、８×ｉ−７列目から８×ｉ列目までの８本の信号線１１１にそれぞれ接続される。すなわち、８個の検査スイッチ１６３［１］〜１６３［８］の各々の一方の接点は、対応するプリチャージスイッチ１６２の一方の接点に接続される。また、プリチャージ選択回路１６１［ｉ］の８個の検査スイッチ１６３［１］〜１６３［８］の各々の他方の接点、すなわち、信号線１１１に接続されていない接点は、８本の検査線１１９にそれぞれ接続される。
【００６０】
プリチャージ選択回路１６１［ｉ］の８個の検査スイッチ１６３［１］〜１６３［８］の各々の制御端子は、互いに接続され、検査制御信号ＳＯＵＴ［ｉ］を検査選択回路１８０から受ける。プリチャージ選択回路１６１［ｉ］の８個の検査スイッチ１６３［１］〜１６３［８］は、検査制御信号ＳＯＵＴ［ｉ］に応じて、信号線１１１と検査線１１９との間の電気的な接続状態を導通状態と非導通状態との間で切り替える。
【００６１】
例えば、検査スイッチ１６３［１］〜１６３［８］は、ＴＦＴ等で構成されるＮチャネル型のトランジスターであり、ゲート等の制御端子で受ける検査制御信号ＳＯＵＴのレベルに応じて、導通状態と非導通状態とのいずれかに設定される。なお、検査スイッチ１６３［１］〜１６３［８］は、Ｐチャネル型のトランジスターでもよいし、ＴＦＴ以外のスイッチング素子でもよい。検査スイッチ１６３は、検査用のスイッチング素子の一例である。
【００６２】
検査スイッチ１６３は、通常動作時には使用されないため、プリチャージスイッチ１６２に比べて駆動能力を小さくできる。このため、検査スイッチ１６３とプリチャージスイッチ１６２とが信号線１１１に接続される電気光学装置１Ａでは、検査スイッチ１６３の駆動能力をプリチャージスイッチ１６２に比べて小さくすることで、信号線１１１からのリーク電流を低減でき、表示画像の画質低下を抑制できる。例えば、検査スイッチ１６３を第１のトランジスターとし、プリチャージスイッチ１６２を第２のトランジスターとする場合、第１のトランジスターのゲート幅Ｗおよびゲート長Ｌの比Ｗ／Ｌは、第２のトランジスターのゲート幅Ｗおよびゲート長Ｌの比Ｗ／Ｌより小さい。
【００６３】
検査選択回路１８０は、例えば、第７の検査パッド１８９および第２の低電位側電源線１１７から供給される電源電圧で動作するシフトレジスターであり、検査スイッチ１６３の状態を制御する検査制御信号ＳＯＵＴを検査スイッチ１６３に出力する。例えば、検査選択回路１８０は、第１のクロックドインバーター１８１ａ、第１のインバーター１８１ｂ、第２のクロックドインバーター１８１ｃおよびｋ個の単位回路１８２［１］〜１８２［ｋ］を有する。
【００６４】
第１のクロックドインバーター１８１ａの入力端子は、第３の検査パッド１８５に接続され、第１のクロックドインバーター１８１ａの出力端子は、第１のインバーター１８１ｂの入力端子に接続される。そして、第１のクロックドインバーター１８１ａは、第１クロック信号ＣＬＫと第２クロック信号ＣＬＫＢに基づいて動作する。なお、図６では、第１のクロックドインバーター１８１ａに第２クロック信号ＣＬＫＢを供給する信号経路の記載を省略している。例えば、第１のクロックドインバーター１８１ａは、第１クロック信号ＣＬＫがハイレベル、かつ第２クロック信号ＣＬＫＢがローレベルの場合にインバーターとして動作し、第１クロック信号ＣＬＫがローレベル、かつ第２クロック信号ＣＬＫＢがハイレベルの場合には出力端子をハイインピーダンスにする。
【００６５】
第１のインバーター１８１ｂは、入力端子で受ける信号の反転信号を出力する。第１のインバーター１８１ｂの入力端子は、第１のクロックドインバーター１８１ａの出力端子および第２のクロックドインバーター１８１ｃの出力端子に接続される。第１のインバーター１８１ｂの出力端子は、第２のクロックドインバーター１８１ｃの入力端子および単位回路１８２［１］の入力端子に接続される。
【００６６】
第２のクロックドインバーター１８１ｃの入力端子は、第１のインバーター１８１ｂの出力端子に接続され、第２のクロックドインバーター１８１ｃの出力端子は、第１のインバーター１８１ｂの入力端子に接続される。そして、第２のクロックドインバーター１８１ｃは、第２クロック信号ＣＬＫＢと第１クロック信号ＣＬＫに基づいて動作する。なお、図６では、第２のクロックドインバーター１８１ｃに第１クロック信号ＣＬＫを供給する信号経路の記載を省略している。例えば、第２のクロックドインバーター１８１ｃは、第２クロック信号ＣＬＫＢがハイレベル、かつ第１クロック信号ＣＬＫがローレベルの場合にインバーターとして動作し、第２クロック信号ＣＬＫＢがローレベル、かつ第１クロック信号ＣＬＫがハイレベルの場合には出力端子をハイインピーダンスにする。
【００６７】
ｋ個の単位回路１８２［１］〜１８２［ｋ］の各々は、例えば、シフトレジスターの各段に対応する。例えば、各単位回路１８２は、第３のクロックドインバーター１８２ａ、第２のインバーター１８２ｂ、第４のクロックドインバーター１８２ｃ、第１の否定論理積回路１８２ｄ、第３のインバーター１８２ｅおよび検査モード制御スイッチ１８２ｆを有する。
【００６８】
単位回路１８２［１］等の奇数番目の単位回路１８２の第３のクロックドインバーター１８２ａは、第２クロック信号ＣＬＫＢと第１クロック信号ＣＬＫに基づいて動作し、第４のクロックドインバーター１８２ｃは、第１クロック信号ＣＬＫと第２クロック信号ＣＬＫＢに基づいて動作する。なお、図６では、奇数番目の単位回路１８２の第３のクロックドインバーター１８２ａに第１クロック信号ＣＬＫを供給する信号経路と奇数番目の単位回路１８２の第４のクロックドインバーター１８２ｃに第２クロック信号ＣＬＫＢを供給する信号経路との記載を省略している。
【００６９】
また、単位回路１８２［２］等の偶数番目の単位回路１８２の第３のクロックドインバーター１８２ａは、第１クロック信号ＣＬＫと第２クロック信号ＣＬＫＢに基づいて動作し、第４のクロックドインバーター１８２ｃは、第２クロック信号ＣＬＫＢと第１クロック信号ＣＬＫに基づいて動作する。なお、図６では、偶数番目の単位回路１８２の第３のクロックドインバーター１８２ａに第２クロック信号ＣＬＫＢを供給する信号経路と偶数番目の単位回路１８２の第４のクロックドインバーター１８２ｃに第１クロック信号ＣＬＫを供給する信号経路との記載を省略している。
【００７０】
単位回路１８２［ｉ］が単位回路１８２［１］である場合、第３のクロックドインバーター１８２ａの入力端子は、第１のインバーター１８１ｂの出力端子に接続され、第３のクロックドインバーター１８２ａの出力端子は、第２のインバーター１８２ｂの入力端子に接続される。単位回路１８２［ｉ］が単位回路１８２［２］〜１８２［ｋ］のいずれかである場合、第３のクロックドインバーター１８２ａの入力端子は、前段の単位回路１８２［ｉ−１］の第２のインバーター１８２ｂの出力端子に接続され、第３のクロックドインバーター１８２ａの出力端子は、第２のインバーター１８２ｂの入力端子に接続される。
【００７１】
単位回路１８２［ｉ］が奇数番目の単位回路１８２である場合、第３のクロックドインバーター１８２ａは、第２クロック信号ＣＬＫＢがハイレベル、かつ第１クロック信号ＣＬＫがローレベルの場合にインバーターとして動作し、第２クロック信号ＣＬＫＢがローレベル、かつ第１クロック信号ＣＬＫがハイレベルの場合には出力端子をハイインピーダンスにする。また、単位回路１８２［ｉ］が偶数番目の単位回路１８２である場合、第３のクロックドインバーター１８２ａは、第１クロック信号ＣＬＫがハイレベル、かつ第２クロック信号ＣＬＫＢがローレベルの場合にインバーターとして動作し、第１クロック信号ＣＬＫがローレベル、かつ第２クロック信号ＣＬＫＢがハイレベルの場合には出力端子をハイインピーダンスにする。
【００７２】
単位回路１８２［ｉ］の第２のインバーター１８２ｂは、入力端子で受ける信号の反転信号を出力する。第２のインバーター１８２ｂの入力端子は、第３のクロックドインバーター１８２ａの出力端子および第４のクロックドインバーター１８２ｃの出力端子に接続される。単位回路１８２［ｉ］が単位回路１８２［１］〜１８２［ｋ−１］のいずれかである場合、第２のインバーター１８２ｂの出力端子は、第４のクロックドインバーター１８２ｃの入力端子および次段の単位回路１８２［ｉ＋１］の入力端子に接続される。単位回路１８２［ｉ］が単位回路１８２［ｋ］である場合、第２のインバーター１８２ｂの出力端子は、第４のクロックドインバーター１８２ｃの入力端子に接続される。
【００７３】
単位回路１８２［ｉ］の第４のクロックドインバーター１８２ｃの入力端子は、第２のインバーター１８２ｂの出力端子に接続され、第４のクロックドインバーター１８２ｃの出力端子は、第２のインバーター１８２ｂの入力端子に接続される。単位回路１８２［ｉ］が奇数番目の単位回路１８２である場合、第４のクロックドインバーター１８２ｃは、第１クロック信号ＣＬＫがハイレベル、かつ第２クロック信号ＣＬＫＢがローレベルの場合にインバーターとして動作し、第１クロック信号ＣＬＫがローレベル、かつ第２クロック信号ＣＬＫＢがハイレベルの場合には出力端子をハイインピーダンスにする。また、単位回路１８２［ｉ］が偶数番目の単位回路１８２である場合、第４のクロックドインバーター１８２ｃは、第２クロック信号ＣＬＫＢがハイレベル、かつ第１クロック信号ＣＬＫがローレベルの場合にインバーターとして動作し、第２クロック信号ＣＬＫＢがローレベル、かつ第１クロック信号ＣＬＫがハイレベルの場合には出力端子をハイインピーダンスにする。
【００７４】
単位回路１８２［ｉ］の第１の否定論理積回路１８２ｄは、２つの入力端子で受ける信号の否定論理積の演算結果を出力する。第１の否定論理積回路１８２ｄの２つの入力端子は、第３のクロックドインバーター１８２ａの入力端子および第２のインバーター１８２ｂの出力端子にそれぞれ接続され、第１の否定論理積回路１８２ｄの出力端子は、第３のインバーター１８２ｅの入力端子に接続される。
【００７５】
単位回路１８２［ｉ］の第３のインバーター１８２ｅは、入力端子で受ける信号の反転信号を出力する。第３のインバーター１８２ｅの入力端子は、第１の否定論理積回路１８２ｄの出力端子に接続される。また、第３のインバーター１８２ｅの出力端子は、検査モード制御スイッチ１８２ｆの一方の接点およびプリチャージ選択回路１６１［ｉ］の８個の検査スイッチ１６３の制御端子に共通に接続される。
【００７６】
単位回路１８２［ｉ］の検査モード制御スイッチ１８２ｆの他方の接点、すなわち、第３のインバーター１８２ｅの出力端子に接続されていない接点には、低電位側の電源である第２電源２３２から第２電源電圧ＶＳＳＹが供給される。例えば、検査モード制御スイッチ１８２ｆの他方の接点は、第２の低電位側電源線１１７に接続される。検査モード制御スイッチ１８２ｆの制御端子は、検査モード信号ＴＸが供給される第４の検査パッド１８６に接続される。なお、第４の検査パッド１８６は、第３電源電圧ＶＤＤＹが供給される高電位側電源線１１８にプルアップ抵抗を介して接続される。
【００７７】
検査モード制御スイッチ１８２ｆは、例えば、ＴＦＴ等で構成されるＮチャネル型のトランジスターであり、ゲート等の制御端子で受ける検査モード信号ＴＸのレベルに応じて、導通状態と非導通状態とのいずれかに設定される。なお、検査モード制御スイッチ１８２ｆは、ＴＦＴ以外のスイッチング素子でもよい。
【００７８】
図６に示す例では、プリチャージスイッチ１６２および検査スイッチ１６３は、画素１２２を含む画素領域１２０に対して第１方向Ｄ１の側に配置され、バッファー回路１７２は、プリチャージスイッチ１６２および検査スイッチ１６３に対して第１方向Ｄ１の側に配置され、検査選択回路１８０は、バッファー回路１７２に対して第１方向Ｄ１の側に配置される。
【００７９】
バッファー回路１７２をプリチャージスイッチ１６２の近くに配置することにより、プリチャージスイッチ１６２を駆動する際の駆動負荷の増加を低減することができる。なお、検査スイッチ１６３の駆動能力は小さく、検査選択回路１８０における第３のインバーター１８２ｅから見た駆動負荷はプリチャージスイッチ１６２に比べて小さい。このため、検査スイッチ１６３と検査選択回路１８０との距離がプリチャージスイッチ１６２とバッファー回路１７２との距離より長くても、検査選択回路１８０は、検査スイッチ１６３を制御できる。次に、図７および図８を参照して、互いに隣接する信号線１１１の短絡を検査する短絡検査について説明する。
【００８０】
図７は、互いに隣接する信号線１１１の短絡を検査する際に電気光学パネル１００Ａに供給する信号の一例を示す図である。信号線１１１の状態を検査する検査動作では、第１クロック信号ＣＬＫが第１の検査パッド１８３に供給され、第２クロック信号ＣＬＫＢが第２の検査パッド１８４に供給され、ローレベルの検査モード信号ＴＸが第４の検査パッド１８６に供給される。この場合、検査モード制御スイッチ１８２ｆは、非導通状態に設定される。
【００８１】
互いに隣接する信号線１１１の短絡を検査する短絡検査では、ハイレベルの期間が第１クロック信号ＣＬＫの２周期分のスタートパルスＤＸが、第３の検査パッド１８５に供給される。この場合、ハイレベルの期間が第１クロック信号ＣＬＫの１．５周期分の検査制御信号ＳＯＵＴ［１］〜ＳＯＵＴ［ｋ］が、第１クロック信号ＣＬＫの立ち上がりおよび第２クロック信号ＣＬＫＢの立ち上がりに同期して、順次出力される。この結果、３つの検査制御信号ＳＯＵＴがハイレベルになる期間が、第１クロック信号ＣＬＫおよび第２クロック信号ＣＬＫＢのいずれかが立ち上がる度に順次シフトする。例えば、期間Ｔ［４］では、検査制御信号ＳＯＵＴ［１］〜ＳＯＵＴ［３］がハイレベルで、他の検査制御信号ＳＯＵＴ［４］〜ＳＯＵＴ［ｋ］は、ローレベルである。なお、第５の検査パッド１８７［１］〜１８７［８］には、ローレベルの電圧が印加される。このため、プリチャージ制御信号ＰＳＬ［１］〜ＰＳＬ［８］はローレベルに維持される。
【００８２】
図８は、互いに隣接する信号線１１１の短絡を検査する短絡検査の説明図である。なお、図８では、デマルチプレクサー１４０［１］および１４０［２］に接続される信号線１１１の短絡を検査する場合を例にして、短絡検査を説明する。例えば、上述の図７における期間Ｔ［３］では、検査制御信号ＳＯＵＴ［１］およびＳＯＵＴ［２］がハイレベルであるため、プリチャージ選択回路１６１［１］の検査スイッチ１６３［１］〜１６３［８］およびプリチャージ選択回路１６１［２］の検査スイッチ１６３［１］〜１６３［８］は、導通状態である。なお、デマルチプレクサー１４０［１］〜１４０［ｋ］の全ての書き込みスイッチ１４２［１］〜１４２［８］は、非導通状態に設定される。
【００８３】
例えば、デマルチプレクサー１４０［１］に対応する信号線群の第１系列の信号線１１１と第２系列の信号線１１１との間に短絡部ＳＨ１が存在する場合、第６の検査パッド１８８［１］と第６の検査パッド１８８［２］との間に電位差を与えることにより電流が流れるため、デマルチプレクサー１４０［１］に対応する信号線群の第１系列の信号線１１１と第２系列の信号線１１１との短絡を検出することができる。なお、デマルチプレクサー１４０［１］に対応する信号線群の第１系列の信号線１１１と第２系列の信号線１１１とが短絡していない場合、第６の検査パッド１８８［１］と第６の検査パッド１８８［２］との間に電位差を与えても、電流は流れない。
【００８４】
また、例えば、デマルチプレクサー１４０［１］に対応する信号線群の第８系列の信号線１１１とデマルチプレクサー１４０［２］に対応する信号線群の第１系列の信号線１１１との間に短絡部ＳＨ２が存在する場合、第６の検査パッド１８８［１］と第６の検査パッド１８８［８］との間に電位差を与えることにより電流が流れる。このため、デマルチプレクサー１４０［１］に対応する信号線群の第１系列の信号線１１１と第２系列の信号線１１１との短絡を検出することができる。すなわち、奇数系列の検査線１１９と偶数系列の検査線１１９との組に電位差を与えることにより、互いに隣接する信号線１１１の短絡を検出することができる。次に、図９および図１０を参照して、信号線１１１の断線を検査する断線検査について説明する。
【００８５】
図９は、信号線１１１の断線を検査する際に電気光学パネル１００Ａに供給する信号の一例を示す図である。信号線１１１の断線を検査する断線検査においても、短絡検査と同様に、第１クロック信号ＣＬＫが第１の検査パッド１８３に供給され、第２クロック信号ＣＬＫＢが第２の検査パッド１８４に供給され、ローレベルの検査モード信号ＴＸが第４の検査パッド１８６に供給される。また、第５の検査パッド１８７［１］〜１８７［８］には、ローレベルの電圧が印加される。
【００８６】
信号線１１１の断線検査では、ハイレベルの期間が第１クロック信号ＣＬＫの１周期分のスタートパルスＤＸが、第３の検査パッド１８５に供給される。この場合、ハイレベルの期間が第１クロック信号ＣＬＫの０．５周期分の検査制御信号ＳＯＵＴ［１］〜ＳＯＵＴ［ｋ］が、第１クロック信号ＣＬＫの立ち上がりおよび第２クロック信号ＣＬＫＢの立ち上がりに同期して、順次出力される。この結果、検査制御信号ＳＯＵＴがハイレベルになる期間が、第１クロック信号ＣＬＫおよび第２クロック信号ＣＬＫＢのいずれかが立ち上がる度に順次シフトする。
図１０は、信号線１１１の断線を検査する断線検査の説明図である。なお、図１０では、デマルチプレクサー１４０［１］に接続される信号線１１１の断線を検査する場合を例にして、断線検査を説明する。例えば、上述の図９における期間Ｔ［２］では、検査制御信号ＳＯＵＴ［１］がハイレベルであるため、プリチャージ選択回路１６１［１］の検査スイッチ１６３［１］〜１６３［８］は、導通状態である。なお、デマルチプレクサー１４０［１］〜１４０［ｋ］の全ての書き込みスイッチ１４２［１］〜１４２［８］は、導通状態に設定される。図１０のバツ印は、断線を示す。
【００８７】
例えば、デマルチプレクサー１４０［１］に対応する信号線群の第１系列の信号線１１１に断線部ＤＣ１が存在する場合、第６の検査パッド１８８［１］とデータ線１１２［１］の図示しない検査パッドとの間に電位差を与えても、電流は流れない。これに対し、信号線１１１が断線していない場合、例えば、第６の検査パッド１８８［２］とデータ線１１２［１］の図示しない検査パッドとの間に電位差を与えることにより電流が流れる。すなわち、検査線１１９とデータ線１１２との間に電位差を与えることにより、信号線１１１の断線を検出することができる。次に、図１１および図１２を参照して、プリチャージ信号ＰＲＣの経路の断線を検査する断線検査について説明する。
【００８８】
図１１は、プリチャージ信号ＰＲＣの経路の断線を検査する際に電気光学パネル１００Ａに供給する信号の一例を示す図である。プリチャージ信号ＰＲＣの経路の断線を検査する断線検査においても、信号線１１１の断線検査と同様に、第１クロック信号ＣＬＫが第１の検査パッド１８３に供給され、第２クロック信号ＣＬＫＢが第２の検査パッド１８４に供給され、ローレベルの検査モード信号ＴＸが第４の検査パッド１８６に供給される。なお、第５の検査パッド１８７［１］〜１８７［８］には、ハイレベルの電圧が印加される。このため、プリチャージ制御信号ＰＳＬ［１］〜ＰＳＬ［８］はハイレベルに維持される。
【００８９】
プリチャージ信号ＰＲＣの経路の断線検査では、信号線１１１の断線検査と同様に、ハイレベルの期間が第１クロック信号ＣＬＫの１周期分のスタートパルスＤＸが、第３の検査パッド１８５に供給される。したがって、信号線１１１の断線検査と同様に、ハイレベルの期間が第１クロック信号ＣＬＫの１周期分の検査制御信号ＳＯＵＴ［１］〜ＳＯＵＴ［ｋ］が、第１クロック信号ＣＬＫの立ち上がりおよび第２クロック信号ＣＬＫＢの立ち上がりに同期して、順次出力される。
【００９０】
図１２は、プリチャージ信号ＰＲＣの経路の断線を検査する断線検査の説明図である。なお、図１２では、デマルチプレクサー１４０［１］に接続される信号線１１１にプリチャージ信号ＰＲＣを供給する際の経路の断線を検査する場合を例にして、断線検査を説明する。例えば、上述の図１１における期間Ｔ［２］では、検査制御信号ＳＯＵＴ［１］がハイレベルであるため、プリチャージ選択回路１６１［１］の検査スイッチ１６３［１］〜１６３［８］は、導通状態である。また、プリチャージ制御信号ＰＳＬ［１］〜ＰＳＬ［８］がハイレベルに維持されるため、プリチャージスイッチ１６２［１］〜１６２［８］も導通状態である。なお、デマルチプレクサー１４０［１］〜１４０［ｋ］の全ての書き込みスイッチ１４２［１］〜１４２［８］は、非導通状態に設定される。図１０のバツ印は、断線を示す。
【００９１】
例えば、プリチャージ電源線１１５からプリチャージ選択回路１６１［１］の検査スイッチ１６３［１］までの経路に断線部ＤＣ２が存在する場合、第６の検査パッド１８８［１］とプリチャージ電源線１１５の図示しない検査パッドとの間に電位差を与えても、電流は流れない。これに対し、プリチャージ信号ＰＲＣの経路が断線していない場合、例えば、第６の検査パッド１８８［２］とプリチャージ電源線１１５の図示しない検査パッドとの間に電位差を与えることにより電流が流れる。すなわち、検査線１１９とプリチャージ電源線１１５との間に電位差を与えることにより、プリチャージ信号ＰＲＣの経路の断線を検出することができる。
【００９２】
なお、画像信号Ｓに応じて画像を表示する通常動作では、例えば、第１の検査パッド１８３、第２の検査パッド１８４、第３の検査パッド１８５、第４の検査パッド１８６、第５の検査パッド１８７［１］〜１８７［８］、第６の検査パッド１８８［１］〜１８８［８］および第７の検査パッド１８９等は、ハイインピーダンスに設定される。
【００９３】
通常動作では、第４の検査パッド１８６がハイインピーダンスに設定されるため、検査モード信号ＴＸは、プルアップ抵抗により、ハイレベルに維持される。この場合、検査モード制御スイッチ１８２ｆが導通状態に設定されるため、検査制御信号ＳＯＵＴ［１］〜ＳＯＵＴ［ｋ］がローレベルに維持され、各プリチャージ選択回路１６１の検査スイッチ１６３［１］〜１６３［８］は、非導通状態に設定される。この結果、プリチャージ回路１５１は、プリチャージ制御信号ＰＳＬ［１］〜ＰＳＬ［８］にしたがって、プリチャージを実行する。
【００９４】
すなわち、検査選択回路１８０は、画像信号Ｓに応じて画像を表示する通常動作では、検査制御信号ＳＯＵＴを用いて、検査スイッチ１６３を非導通状態に設定する。通常動作時の電気光学装置１Ａの動作タイミングは、例えば、図４の動作タイミングと同じである。
【００９５】
図１３は、電気光学パネル１００Ａの端子配置の一例を示す図である。符号１９０は、上下導通点を示す。画像信号端子ＰＮ１０は、信号線駆動回路２１０から画像信号Ｓを受ける端子である。プリチャージ制御信号端子ＰＮ１１は、プリチャージ制御信号線１１３が接続される端子である。なお、図１３では、図を見やすくするために、複数のプリチャージ制御信号端子ＰＮ１１のうちの１つを記載している。第１電源端子ＰＮ２１は、バッファー回路１７２の低電位側電源線である第１の低電位側電源線１１６が接続される端子である。また、プリチャージ電源端子ＰＮ２２ａおよびＰＮ２２ｂは、プリチャージ電源線１１５が接続される端子である。以下では、プリチャージ電源端子ＰＮ２２ａおよびＰＮ２２ｂは、プリチャージ電源端子ＰＮ２２ａおよびＰＮ２２ｂを区別する必要が無い場合等、単に、プリチャージ電源端子ＰＮ２２とも称される。
【００９６】
図１３に示す例では、電気光学パネル１００Ａにおいて、第１電源端子ＰＮ２１およびプリチャージ電源端子ＰＮ２２の両方は、画像信号端子ＰＮ１０が配置される辺に対向する辺に配置される。この場合、プリチャージ回路１５１に近い辺に配置される端子からプリチャージ信号ＰＲＣ等が供給されるため、画像信号端子ＰＮ１０が配置される辺と同じ辺に第１電源端子ＰＮ２１およびプリチャージ電源端子ＰＮ２２が配置される場合に比べて、配線抵抗を小さくすることができる。この結果、プリチャージ回路１５１への電力供給を強化することができる。
【００９７】
なお、電気光学パネル１００Ａにおいて、第１電源端子ＰＮ２１およびプリチャージ電源端子ＰＮ２２の両方は、画像信号端子ＰＮ１０が配置される辺に対向する辺以外で、画像信号端子ＰＮ１０が配置される辺とは異なる辺に配置されてもよい。また、第１電源端子ＰＮ２１およびプリチャージ電源端子ＰＮ２２の一方が、画像信号端子ＰＮ１０が配置される辺とは異なる辺に配置されてもよい。
【００９８】
また、電気光学パネル１００Ａにおいて、プリチャージ制御信号端子ＰＮ１１は、画像信号端子ＰＮ１０が配置される辺と同じ辺に配置される。この場合、プリチャージ制御信号端子ＰＮ１１を第１電源端子ＰＮ２１およびプリチャージ電源端子ＰＮ２２が配置される辺と同じ辺に配置する場合に比べて、第１電源端子ＰＮ２１およびプリチャージ電源端子ＰＮ２２等の端子の配置間隔を広くすることができる。加えて高速駆動すべき信号端子を同一辺に集約することになるので、駆動用集積回路２００までの接続に好適な構成となる。同一の集積回路からプリチャージ制御信号ＰＳＬ、画像信号Ｓ、書き込み選択信号ＳＬ等の各種信号を出力する構成が容易になるので、各信号間で精度よく同期させた駆動を実現できる。なお、プリチャージ制御信号端子ＰＮ１１は、画像信号端子ＰＮ１０が配置される辺と異なる辺に配置されてもよい。
【００９９】
また、フレキシブル回路基板３００は、第１電源端子ＰＮ２１およびプリチャージ電源端子ＰＮ２２の両方を含む第２端子群ＰＮＧ２に接続される。フレキシブル回路基板３００のコネクター部３２０は、例えば、駆動用集積回路２００に接続される。図１３では、画像信号端子ＰＮ１０を含む第１端子群ＰＮＧ１に接続されるフレキシブル回路基板３００の記載を省略している。なお、第１電源端子ＰＮ２１およびプリチャージ電源端子ＰＮ２２の一方が、画像信号端子ＰＮ１０が配置される辺とは異なる辺に配置される場合、図１３のフレキシブル回路基板３００は、第１電源端子ＰＮ２１およびプリチャージ電源端子ＰＮ２２の一方を含む端子群に接続される。
【０１００】
また、フレキシブル回路基板３００の複数の配線のうち、プリチャージ電源端子ＰＮ２２に接続される配線と第１電源端子ＰＮ２１に接続される配線との間に、安定化容量が設けられてもよい。さらに、フレキシブル回路基板３００の複数の配線のうち、コモン電圧Ｖｃｏｍが供給される配線と第１電源端子ＰＮ２１に接続される配線との間に、安定化容量が設けられてもよい。
【０１０１】
プリチャージ電源端子ＰＮ２２の大きさがプロービング可能な大きさである場合、プリチャージ電源線１１５の検査パッドは、省かれてもよい。同様に、第１電源端子ＰＮ２１の大きさがプロービング可能な大きさである場合、第１の低電位側電源線１１６の検査パッドは、省かれてもよい。
【０１０２】
以上、第２実施形態においても、第１実施形態と同様の効果を得ることができる。また、第２実施形態では、電気光学パネル１００Ａは、信号線１１１と検査線１１９との間の電気的な接続状態を導通状態と非導通状態との間で切り替える検査スイッチ１６３と、検査スイッチ１６３の状態を制御する検査制御信号ＳＯＵＴを検査スイッチ１６３に出力する検査選択回路１８０とを有する。このため、電気光学装置１Ａは、互いに隣接する信号線１１１の短絡、信号線１１１の断線およびプリチャージ信号ＰＲＣの経路の断線等の検査を実行できる。
【０１０３】
＜第３実施形態＞
第３実施形態と第２実施形態の主な相違点は、第５の検査パッド１８７［２］〜１８７［８］が第２実施形態の電気光学装置１Ａから省かれる点である。
【０１０４】
図１４は、第３実施形態に係る電気光学装置１Ａのプリチャージ回路１５１および検査選択回路１８０の構成を示す回路図である。図１から図１３で説明済みの要素と同一の要素については、同一の符号を付し、詳細な説明を省略する。図１４に示す電気光学装置１Ａは、第５の検査パッド１８７［２］〜１８７［８］が第２実施形態の電気光学装置１Ａから省かれることを除いて、第２実施形態の電気光学装置１Ａと同一である。
【０１０５】
なお、プリチャージ制御信号線１１３に検査信号を供給する第５の検査パッド１８７［１］は、８本のプリチャージ制御信号線１１３のうちの第１系列のプリチャージ制御信号線１１３に接続される。すなわち、電気光学パネル１００Ａ内で複数のプリチャージ制御信号線１１３のうちの１つが第５の検査パッド１８７［１］に接続される。
【０１０６】
ここで、電気光学パネル１００Ａは、製造工程における切断工程で、電気光学パネル１００Ａの外形を規定する外形線ＬＮＳに沿って切断される。そして、８本のプリチャージ制御信号線１１３は、切断工程より前の工程である検査工程では、外形線ＬＮＳをまたいで配置され、電気光学パネル１００Ａの外側で互いに接続されている。このため、互いに隣接する信号線１１１の短絡、信号線１１１の断線およびプリチャージ信号ＰＲＣの経路の断線等の検査では、８本のプリチャージ制御信号線１１３のレベルを、１つの第５の検査パッド１８７で、ハイレベルまたはローレベルに設定することができる。互いに隣接する信号線１１１の短絡、信号線１１１の断線およびプリチャージ信号ＰＲＣの経路の断線等の検査では、８本のプリチャージ制御信号線１１３は、互いに同じレベルに設定されるため、第５の検査パッド１８７を１つに削減することができる。なお、切断工程の後では、８本のプリチャージ制御信号線１１３は、互いに分離される。
【０１０７】
以上、第３実施形態においても、第２実施形態と同様の効果を得ることができる。また、第３実施形態では、電気光学パネル１００Ａ内で複数のプリチャージ制御信号線１１３のうちの１つが、プリチャージ制御信号線１１３に検査信号を供給する第５の検査パッド１８７［１］に接続される。したがって、第３実施形態では、図６の構成から第５の検査パッド１８７［２］〜１８７［８］を省くことができ、検査パッドの数を削減できる。
【０１０８】
＜第４実施形態＞
第４実施形態と第１実施形態の主な相違点は、図１５に示す電気光学パネル１００Ｂが信号線１１１の状態の検査に使用される検査選択回路１８０Ｍを有する点である。
【０１０９】
図１５は、第４実施形態に係る電気光学装置１Ｂの構成を示すブロック図である。図１から図１４で説明済みの要素と同一の要素については、同一の符号を付し、詳細な説明を省略する。
【０１１０】
電気光学装置１Ｂは、図１の電気光学パネル１００の代わりに電気光学パネル１００Ｂを有することを除いて、図１の電気光学装置１と同一である。例えば、電気光学装置１Ｂは、電気光学パネル１００Ｂと、駆動用集積回路２００と、図１のフレキシブル回路基板３００とを有する。駆動用集積回路２００は、図２の駆動用集積回路２００と同一である。
【０１１１】
電気光学パネル１００Ｂでは、検査選択回路１８０Ｍ、図１６に示す第１の検査パッド１８３等の検査パッドが図２の電気光学パネル１００に追加されている。また、電気光学パネル１００Ｂは、図２のプリチャージ回路１５０の代わりにプリチャージ回路１５２を有する。電気光学パネル１００Ｂのその他の構成は、図２の電気光学パネル１００と同一である。例えば、電気光学パネル１００Ｂは、ｍ本の走査線１１０、ｎ本の信号線１１１、プリチャージ制御信号線１１３、プリチャージ電源線１１５、画素領域１２０、走査線駆動回路１３０、ｋ個のデマルチプレクサー１４０［１］〜１４０［ｋ］、プリチャージ回路１５２および検査選択回路１８０Ｍを有する。また、電気光学パネル１００Ｂは、図１６に示す第１の検査パッド１８３等の検査パッドを有する。なお、図１５では、図を見やすくするために、検査パッドの記載を省略している。
【０１１２】
プリチャージ回路１５２は、図２のスイッチ駆動回路１７０の代わりにスイッチ駆動回路１７１を有することを除いて、図２のプリチャージ回路１５０と同一である。例えば、プリチャージ回路１５１は、ｋ個の信号線群にそれぞれ対応して設けられるｋ個のプリチャージ選択回路１６０［１］〜１６０［ｋ］と、ｋ個のプリチャージ選択回路１６０［１］〜１６０［ｋ］にそれぞれ対応して設けられるｋ個のスイッチ駆動回路１７１［１］〜１７１［ｋ］とを有する。プリチャージ回路１５２の詳細は、図１６で説明する。
【０１１３】
検査選択回路１８０Ｍは、信号線１１１を検査する検査動作において、複数の信号線１１１のうちの検査対象の信号線１１１に対応するプリチャージスイッチ１６２を選択する検査制御信号ＳＯＵＴを、スイッチ駆動回路１７１に出力する。なお、検査選択回路１８０Ｍは、検査モード制御スイッチ１８２ｆの接続先、検査制御信号ＳＯＵＴの出力先および第３のインバーター１８２ｅの電源を除いて、図６の検査選択回路１８０と同一である。検査選択回路１８０Ｍの詳細は、図１６で説明する。
【０１１４】
図１６は、プリチャージ回路１５２および検査選択回路１８０Ｍの構成を示す回路図である。電気光学パネル１００Ｂは、図６の第６の検査パッド１８８［１］〜１８８［８］の代わりに、プリチャージ電源線１１５に接続される第８の検査パッド１８８ａを有する。第１の検査パッド１８３、第２の検査パッド１８４、第３の検査パッド１８５、第４の検査パッド１８６、第５の検査パッド１８７［１］〜１８７［８］および第７の検査パッド１８９は、図６の各検査パッドと同一である。なお、図１６では、図を見やすくするために、データ線１１２の検査パッド、書き込み選択信号線１１４の検査パッドおよび第１の低電位側電源線１１６の検査パッド等の記載を省略している。
【０１１５】
プリチャージ回路１５２は、ｋ個の信号線群にそれぞれ対応して設けられるｋ個のプリチャージ選択回路１６０［１］〜１６０［ｋ］と、ｋ個のプリチャージ選択回路１６０［１］〜１６０［ｋ］にそれぞれ対応して設けられるｋ個のスイッチ駆動回路１７１［１］〜１７１［ｋ］とを有する。プリチャージ選択回路１６０は、図２のプリチャージ選択回路１６０と同一である。
【０１１６】
各スイッチ駆動回路１７１は、第１電源２３０および第３電源２３４から供給される電源電圧で動作する８個の第２の否定論理積回路１７３［１］〜１７３［８］と、第１電源２３０および第３電源２３４から供給される電源電圧で動作する８個の第４のインバーター１７４［１］〜１７４［８］とを有する。すなわち、第２の否定論理積回路１７３および第４のインバーター１７４の低電位側の電源は、走査線駆動回路１３０の低電位側の電源である第２電源２３２から分離される。なお、第４のインバーター１７４の低電位側の電源が第２電源２３２から分離され、第２の否定論理積回路１７３の低電位側の電源は第２電源２３２と共有されてもよい。
【０１１７】
スイッチ駆動回路１７１［ｉ］の第２の否定論理積回路１７３［ｊ］は、２つの入力端子で受ける信号の否定論理積の演算結果を、スイッチ駆動回路１７１［ｉ］の第４のインバーター１７４［ｊ］に出力する。なお、ｉは、１〜ｋの自然数であり、ｊは、１以上８以下の自然数である。スイッチ駆動回路１７１［ｉ］の第２の否定論理積回路１７３［ｊ］の２つの入力端子は、後述する単位回路１８２Ｍ［ｉ］の第３のインバーター１８２ｅの出力端子および第５の検査パッド１８７［ｊ］にそれぞれ接続される。
【０１１８】
スイッチ駆動回路１７１［ｉ］の第４のインバーター１７４［ｊ］は、入力端子で受ける信号の反転信号をプリチャージ選択回路１６０［ｉ］のプリチャージスイッチ１６２［ｊ］の制御端子に出力する。直列に接続される第２の否定論理積回路１７３および第４のインバーター１７４は、プリチャージスイッチ１６２に対応して設けられる。
【０１１９】
信号線１１１を検査する検査動作では、スイッチ駆動回路１７１［ｉ］の第２の否定論理積回路１７３［ｊ］は、検査制御信号ＳＯＵＴ［ｉ］がハイレベルである場合、プリチャージ制御信号ＰＳＬ［ｊ］の反転信号をスイッチ駆動回路１７１［ｉ］の第４のインバーター１７４［ｊ］に出力する。このため、スイッチ駆動回路１７１［ｉ］の第４のインバーター１７４［ｊ］は、プリチャージ制御信号ＰＳＬ［ｊ］をプリチャージ選択回路１６０［ｉ］のプリチャージスイッチ１６２［ｊ］の制御端子に出力する。また、スイッチ駆動回路１７１［ｉ］の第２の否定論理積回路１７３［ｊ］は、検査制御信号ＳＯＵＴ［ｉ］がローレベルである場合、検査制御信号ＳＯＵＴ［ｉ］の反転信号をスイッチ駆動回路１７１［ｉ］の第４のインバーター１７４［ｊ］に出力する。このため、スイッチ駆動回路１７１［ｉ］の第４のインバーター１７４［ｊ］は、ローレベルの検査制御信号ＳＯＵＴ［ｉ］をプリチャージ選択回路１６０［ｉ］のプリチャージスイッチ１６２［ｊ］の制御端子に出力する。
【０１２０】
また、画像信号Ｓに応じて画像を表示する通常動作では、検査制御信号ＳＯＵＴ［１］〜ＳＯＵＴ［ｋ］は、ハイレベルに維持される。したがって、通常動作では、スイッチ駆動回路１７１［ｉ］の第２の否定論理積回路１７３［ｊ］は、プリチャージ制御信号ＰＳＬ［ｊ］の反転信号をスイッチ駆動回路１７１［ｉ］の第４のインバーター１７４［ｊ］に出力する。このため、スイッチ駆動回路１７１［ｉ］の第４のインバーター１７４［ｊ］は、プリチャージ制御信号ＰＳＬ［ｊ］をプリチャージ選択回路１６０［ｉ］のプリチャージスイッチ１６２［ｊ］の制御端子に出力する。
【０１２１】
なお、図１６に示す例では、プリチャージ選択回路１６０［ｉ］のプリチャージスイッチ１６２に接続される信号線１１１が検査対象として選択される場合、検査制御信号ＳＯＵＴ［ｉ］がハイレベルに設定される。すなわち、直列に接続される第２の否定論理積回路１７３および第４のインバーター１７４は、検査動作では、対応するプリチャージスイッチ１６２が検査制御信号ＳＯＵＴにより選択されている場合、プリチャージ制御信号ＰＳＬをプリチャージスイッチ１６２に出力する。また、直列に接続される第２の否定論理積回路１７３および第４のインバーター１７４は、検査動作では、対応するプリチャージスイッチ１６２が検査制御信号ＳＯＵＴで選択されていない場合、プリチャージスイッチ１６２を非導通状態に設定する。そして、直列に接続される第２の否定論理積回路１７３および第４のインバーター１７４は、通常動作では、プリチャージ制御信号ＰＳＬをプリチャージスイッチ１６２に出力する。直列に接続される第２の否定論理積回路１７３および第４のインバーター１７４は、プリチャージ制御信号線１１３を介して受けるプリチャージ制御信号ＰＳＬをプリチャージスイッチ１６２に出力するバッファー回路の一例である。
【０１２２】
検査選択回路１８０Ｍは、図６の単位回路１８２の代わりに単位回路１８２Ｍを有することを除いて、図６の検査選択回路１８０と同一である。例えば、検査選択回路１８０Ｍは、第１のクロックドインバーター１８１ａ、第１のインバーター１８１ｂ、第２のクロックドインバーター１８１ｃおよびｋ個の単位回路１８２Ｍ［１］〜１８２Ｍ［ｋ］を有する。
【０１２３】
単位回路１８２Ｍは、検査モード制御スイッチ１８２ｆの接続先、検査制御信号ＳＯＵＴの出力先および第３のインバーター１８２ｅの電源を除いて、図６の単位回路１８２と同一である。例えば、各単位回路１８２Ｍは、第３のクロックドインバーター１８２ａ、第２のインバーター１８２ｂ、第４のクロックドインバーター１８２ｃ、第１の否定論理積回路１８２ｄ、第３のインバーター１８２ｅおよび検査モード制御スイッチ１８２ｆを有する。
【０１２４】
第３のクロックドインバーター１８２ａ、第２のインバーター１８２ｂ、第４のクロックドインバーター１８２ｃおよび第１の否定論理積回路１８２ｄは、例えば、第７の検査パッド１８９および第２の低電位側電源線１１７から供給される電源電圧で動作する。第３のインバーター１８２ｅおよび検査モード制御スイッチ１８２ｆは、高電位側電源線１１８から供給される第３電源電圧ＶＤＤＹと第１の低電位側電源線１１６から供給される第１電源電圧ＶＳＳＸとを電源として動作する。すなわち、第３のインバーター１８２ｅおよび検査モード制御スイッチ１８２ｆは、第１電源２３０および第３電源２３４から供給される電源電圧で動作する。なお、第３のインバーター１８２ｅおよび検査モード制御スイッチ１８２ｆは、第２電源２３２および第３電源２３４から供給される電源電圧で動作してもよい。
【０１２５】
単位回路１８２Ｍ［ｉ］の第３のインバーター１８２ｅは、検査制御信号ＳＯＵＴ［ｉ］をスイッチ駆動回路１７１［ｉ］の第２の否定論理積回路１７３［１］〜１７３［８］に出力する。単位回路１８２［ｉ］の検査モード制御スイッチ１８２ｆの一方の接点は、単位回路１８２Ｍ［ｉ］の第３のインバーター１８２ｅの入力端子に接続される。単位回路１８２［ｉ］の検査モード制御スイッチ１８２ｆの他方の接点、すなわち、第３のインバーター１８２ｅの入力端子に接続されていない接点には、低電位側の電源である第１電源２３０から第１電源電圧ＶＳＳＸが供給される。例えば、検査モード制御スイッチ１８２ｆの他方の接点は、第１の低電位側電源線１１６に接続される。検査モード制御スイッチ１８２ｆの制御端子は、検査モード信号ＴＸが供給される第４の検査パッド１８６に接続される。
【０１２６】
図１６に示す例では、プリチャージスイッチ１６２は、画素１２２を含む画素領域１２０に対して第１方向Ｄ１の側に配置され、第４のインバーター１７４は、プリチャージスイッチ１６２に対して第１方向Ｄ１の側に配置され、検査選択回路１８０Ｍは、第４のインバーター１７４に対して第１方向Ｄ１の側に配置される。第４のインバーター１７４をプリチャージスイッチ１６２の近くに配置することにより、プリチャージスイッチ１６２を駆動する際の駆動負荷の増加を低減することができる。次に、図１７から図１９を参照して、互いに隣接する信号線１１１の短絡を検査する短絡検査および信号線１１１の断線を検査する断線検査について説明する。
【０１２７】
図１７は、信号線１１１の状態を検査する際に電気光学パネル１００Ｂに供給する信号の一例を示す図である。信号線１１１の状態を検査する検査動作では、第１クロック信号ＣＬＫが第１の検査パッド１８３に供給され、第２クロック信号ＣＬＫＢが第２の検査パッド１８４に供給され、ローレベルの検査モード信号ＴＸが第４の検査パッド１８６に供給される。この場合、検査モード制御スイッチ１８２ｆは、非導通状態に設定される。
【０１２８】
検査動作では、ハイレベルの期間が第１クロック信号ＣＬＫの１周期分のスタートパルスＤＸが、第３の検査パッド１８５に供給される。この場合、ハイレベルの期間が第１クロック信号ＣＬＫの０．５周期分の検査制御信号ＳＯＵＴ［１］〜ＳＯＵＴ［ｋ］が、第１クロック信号ＣＬＫの立ち上がりおよび第２クロック信号ＣＬＫＢの立ち上がりに同期して、順次出力される。なお、第５の検査パッド１８７［１］〜１８７［８］には、検査制御信号ＳＯＵＴがハイレベルの期間Ｔ内にプリチャージスイッチ１６２［１］〜１６２［８］を順番に導通状態に設定するプリチャージ制御信号ＰＳＬ［１］〜ＰＳＬ［８］が供給される。
【０１２９】
例えば、期間Ｔ［２］では、検査制御信号ＳＯＵＴ［１］〜ＳＯＵＴ［ｋ］のうちの検査制御信号ＳＯＵＴ［１］のみがハイレベルであるため、プリチャージ選択回路１６０［１］のプリチャージスイッチ１６２［１］〜１６２［８］が順番に導通状態に設定される。すなわち、期間Ｔ［２］では、１列目から８列目までの信号線１１１がプリチャージ電源線１１５に順次接続される。
【０１３０】
また、例えば、期間Ｔ［ｋ＋１］では、検査制御信号ＳＯＵＴ［１］〜ＳＯＵＴ［ｋ］のうちの検査制御信号ＳＯＵＴ［ｋ］のみがハイレベルであるため、プリチャージ選択回路１６０［ｋ］のプリチャージスイッチ１６２［１］〜１６２［８］が順番に導通状態に設定される。すなわち、期間Ｔ［ｋ＋１］では、ｎ−７列目からｎ列目までの信号線１１１がプリチャージ電源線１１５に順次接続される。次に、図１８を参照して、互いに隣接する信号線１１１の短絡を検査する短絡検査について説明する。
【０１３１】
図１８は、互いに隣接する信号線１１１の短絡を検査する短絡検査の説明図である。なお、図１８では、デマルチプレクサー１４０［１］に接続される信号線１１１の短絡を検査する場合を例にして、短絡検査を説明する。例えば、プリチャージスイッチ１６２［１］が導通状態に設定されている期間では、第１系列の信号線１１１に隣接する第２系列および第８系列の信号線１１１に接続される書き込みスイッチ１４２［２］および１４２［８］が書き込み選択信号ＳＬ［２］およびＳＬ［８］により導通状態に設定される。
【０１３２】
例えば、デマルチプレクサー１４０［１］に対応する信号線群の第１系列の信号線１１１と第２系列の信号線１１１との間に短絡部ＳＨ３が存在する場合、第８の検査パッド１８８ａとデータ線１１２［１］の図示しない検査パッドとの間に電位差を与えることにより電流が流れる。このため、デマルチプレクサー１４０［１］に対応する信号線群の第１系列の信号線１１１と第２系列の信号線１１１との短絡を検出することができる。なお、デマルチプレクサー１４０［１］に対応する信号線群の第１系列の信号線１１１と第２系列の信号線１１１とが短絡していない場合、第８の検査パッド１８８ａとデータ線１１２［１］の図示しない検査パッドとの間に電位差を与えても、電流は流れない。次に、図１９を参照して、信号線１１１の断線を検査する断線検査について説明する。
【０１３３】
図１９は、信号線１１１の断線を検査する断線検査の説明図である。なお、図１９では、デマルチプレクサー１４０［１］に接続される信号線１１１の断線を検査する場合を例にして、断線検査を説明する。例えば、プリチャージスイッチ１６２［１］が導通状態に設定されている期間では、第１系列の信号線１１１に接続される書き込みスイッチ１４２［１］が書き込み選択信号ＳＬ［１］により導通状態に設定される。図１９のバツ印は、断線を示す。
【０１３４】
例えば、デマルチプレクサー１４０［１］に対応する信号線群の第１系列の信号線１１１に断線部ＤＣ３が存在する場合、第８の検査パッド１８８ａとデータ線１１２［１］の図示しない検査パッドとの間に電位差を与えても、電流は流れない。これに対し、信号線１１１が断線していない場合、例えば、第８の検査パッド１８８ａとデータ線１１２［１］の図示しない検査パッドとの間に電位差を与えることにより電流が流れる。すなわち、第８の検査パッド１８８ａとデータ線１１２との間に電位差を与えることにより、信号線１１１の断線を検出することができる。
【０１３５】
なお、画像信号Ｓに応じて画像を表示する通常動作では、例えば、第１の検査パッド１８３、第２の検査パッド１８４、第３の検査パッド１８５、第４の検査パッド１８６、第５の検査パッド１８７［１］〜１８７［８］、第７の検査パッド１８９および第８の検査パッド１８８ａ等は、ハイインピーダンスに設定される。
【０１３６】
通常動作では、第４の検査パッド１８６がハイインピーダンスに設定されるため、検査モード信号ＴＸは、プルアップ抵抗により、ハイレベルに維持される。この場合、検査モード制御スイッチ１８２ｆが導通状態に設定されるため、検査制御信号ＳＯＵＴ［１］〜ＳＯＵＴ［ｋ］がハイレベルに維持される。したがって、通常動作では、直列に接続される第２の否定論理積回路１７３および第４のインバーター１７４は、プリチャージ制御信号ＰＳＬをプリチャージスイッチ１６２に出力する。この結果、プリチャージ回路１５０は、プリチャージ制御信号ＰＳＬ［１］〜ＰＳＬ［８］にしたがって、プリチャージを実行する。通常動作時の電気光学装置１Ａの動作タイミングは、例えば、図４の動作タイミングと同じである。また、電気光学パネル１００Ｂの端子配置は、例えば、図１３の電気光学パネル１００Ａの端子配置と同様である。
【０１３７】
以上、第４実施形態においても、第１実施形態と同様の効果を得ることができる。また、第４実施形態では、電気光学パネル１００Ｂは、信号線１１１を検査する検査動作において、複数の信号線１１１のうちの検査対象の信号線１１１に対応するプリチャージスイッチ１６２を選択する検査制御信号ＳＯＵＴを、バッファー回路の入力段として機能する第２の否定論理積回路１７３に出力する検査選択回路１８０Ｍを有する。バッファー回路の出力段として機能する第４のインバーター１７４は、検査動作では、対応するプリチャージスイッチ１６２が検査制御信号ＳＯＵＴにより選択されている場合、プリチャージ制御信号ＰＳＬをプリチャージスイッチ１６２に出力する。また、第４のインバーター１７４は、検査動作では、対応するプリチャージスイッチ１６２が検査制御信号ＳＯＵＴにより選択されていない場合、プリチャージスイッチ１６２を非導通状態に設定する。そして、第４のインバーター１７４は、通常動作では、プリチャージ制御信号ＰＳＬをプリチャージスイッチ１６２に出力する。このため、電気光学装置１Ｂは、互いに隣接する信号線１１１の短絡および信号線１１１の断線等の検査を実行できる。また、電気光学パネル１００Ｂでは、信号線１１１に接続される検査スイッチ１６３を設けることなく、信号線１１１の状態を検査できるため、図６の構成に比べて、プリチャージスイッチ１６２および信号線１１１等を狭ピッチで配置することができる。
【０１３８】
＜第５実施形態＞
第５実施形態と第４実施形態の主な相違点は、図２０に示す電気光学パネル１００Ｃが２系統のプリチャージ電源線１１５ａおよび１１５ｂを有する点である。
【０１３９】
図２０は、第５実施形態に係る電気光学装置１Ｃの構成を示すブロック図である。図１から図１９で説明済みの要素と同一の要素については、同一の符号を付し、詳細な説明を省略する。
【０１４０】
電気光学装置１Ｃは、図１５の電気光学パネル１００Ｂの代わりに電気光学パネル１００Ｃを有することを除いて、図１５の電気光学装置１Ｂと同一である。例えば、電気光学装置１Ｃは、電気光学パネル１００Ｃと、駆動用集積回路２００と、図１のフレキシブル回路基板３００とを有する。駆動用集積回路２００は、図２の駆動用集積回路２００と同一である。
【０１４１】
電気光学パネル１００Ｃは、１系統のプリチャージ電源線１１５の代わりに２系統のプリチャージ電源線１１５ａおよび１１５ｂを有することを除いて、図１５の電気光学パネル１００Ｂと同一である。例えば、電気光学パネル１００Ｃは、ｍ本の走査線１１０、ｎ本の信号線１１１、プリチャージ制御信号線１１３、プリチャージ電源線１１５ａおよび１１５ｂ、画素領域１２０、走査線駆動回路１３０、ｋ個のデマルチプレクサー１４０［１］〜１４０［ｋ］、プリチャージ回路１５２および検査選択回路１８０Ｍを有する。また、電気光学パネル１００Ｃは、図２１に示す第１の検査パッド１８３等の検査パッドを有する。なお、図２０では、図を見やすくするために、検査パッドの記載を省略している。図２０以降では、プリチャージ電源線１１５ａに供給されるプリチャージ信号ＰＲＣは、プリチャージ信号ＰＲＣａとも称され、プリチャージ電源線１１５ｂに供給されるプリチャージ信号ＰＲＣは、プリチャージ信号ＰＲＣｂとも称される。
【０１４２】
プリチャージ回路１５２は、２系統のプリチャージ電源線１１５ａおよび１１５ｂからプリチャージ信号ＰＲＣａおよびＰＲＣｂそれぞれ供給されることを除いて、図１５のプリチャージ回路１５２と同一である。例えば、プリチャージ回路１５２は、ｋ個の信号線群にそれぞれ対応して設けられるｋ個のプリチャージ選択回路１６０［１］〜１６０［ｋ］と、ｋ個のプリチャージ選択回路１６０［１］〜１６０［ｋ］にそれぞれ対応して設けられるｋ個のスイッチ駆動回路１７１［１］〜１７１［ｋ］とを有する。プリチャージ電源線１１５ａおよび１１５ｂの接続の一例は、図２１で説明する。
【０１４３】
図２１は、プリチャージ回路１５２および検査選択回路１８０Ｍの構成を示す回路図である。電気光学パネル１００Ｃでは、第８の検査パッド１８８ａがプリチャージ電源線１１５ａに接続され、プリチャージ電源線１１５ｂに接続される第８の検査パッド１８８ｂが電気光学パネル１００Ｂに追加される。第１の検査パッド１８３、第２の検査パッド１８４、第３の検査パッド１８５、第４の検査パッド１８６、第５の検査パッド１８７［１］〜１８７［８］および第７の検査パッド１８９は、図１６の各検査パッドと同一である。なお、図２１では、図を見やすくするために、データ線１１２の検査パッド、書き込み選択信号線１１４の検査パッドおよび第１の低電位側電源線１１６の検査パッド等の記載を省略している。
【０１４４】
プリチャージ選択回路１６０［ｉ］の８個のプリチャージスイッチ１６２［１］〜１６２［８］の各々の一方の接点は、図１６のプリチャージスイッチ１６２と同様に、８×ｉ−７列目から８×ｉ列目までの８本の信号線１１１にそれぞれ接続される。そして、各プリチャージ選択回路１６０の奇数系列のプリチャージスイッチ１６２［１］、１６２［３］、１６２［５］および１６２［７］の各々の他方の接点、すなわち、信号線１１１に接続されていない接点は、プリチャージ電源線１１５ａに共通に接続される。また、各プリチャージ選択回路１６０の偶数系列のプリチャージスイッチ１６２［２］、１６２［４］、１６２［６］および１６２［８］の各々の他方の接点、すなわち、信号線１１１に接続されていない接点は、プリチャージ電源線１１５ｂに共通に接続される。プリチャージ回路１５２のその他の構成は、図１６のプリチャージ回路１５２と同一である。
【０１４５】
検査選択回路１８０Ｍは、図１６の検査選択回路１８０Ｍと同一である。次に、図２２から図２６を参照して、互いに隣接する信号線１１１の短絡を検査する短絡検査および信号線１１１の断線を検査する断線検査について説明する。
【０１４６】
図２２は、互いに隣接する信号線１１１の短絡を検査する短絡検査の一例の説明図である。図２２に示す短絡検査では、検査モード信号ＴＸ、第１クロック信号ＣＬＫ、第２クロック信号ＣＬＫＢ、スタートパルスＤＸおよびプリチャージ制御信号ＰＳＬ［１］〜ＰＳＬ［８］が、図１８の短絡検査と同じように、電気光学パネル１００Ｃに供給される。例えば、プリチャージスイッチ１６２［１］が導通状態に設定されている期間では、第１系列の信号線１１１に隣接する第２系列および第８系列の信号線１１１に接続される書き込みスイッチ１４２［２］および１４２［８］が書き込み選択信号ＳＬ［２］およびＳＬ［８］により導通状態に設定される。
【０１４７】
例えば、デマルチプレクサー１４０［１］に対応する信号線群の第１系列の信号線１１１と第２系列の信号線１１１との間に短絡部ＳＨ３が存在する場合、第８の検査パッド１８８ａとデータ線１１２［１］の図示しない検査パッドとの間に電位差を与えることにより電流が流れる。このため、デマルチプレクサー１４０［１］に対応する信号線群の第１系列の信号線１１１と第２系列の信号線１１１との短絡を検出することができる。次に、図２３を参照して、互いに隣接する信号線１１１の短絡を検査する短絡検査の別の例について説明する。
【０１４８】
図２３は、互いに隣接する信号線１１１の短絡を検査する短絡検査の別の例の説明図である。図２３に示す短絡検査では、検査モード信号ＴＸ、第１クロック信号ＣＬＫ、第２クロック信号ＣＬＫＢおよびスタートパルスＤＸが、図１８の短絡検査と同じように、電気光学パネル１００Ｃに供給される。なお、第５の検査パッド１８７［１］〜１８７［８］には、例えば、図２８に示すように、検査制御信号ＳＯＵＴがハイレベルの期間Ｔ内に、プリチャージスイッチ１６２の組毎に順番に導通状態に設定するプリチャージ制御信号ＰＳＬ［１］〜ＰＳＬ［８］が供給される。プリチャージスイッチ１６２の組は、例えば、プリチャージスイッチ１６２［１］および１６２［２］の組と、プリチャージスイッチ１６２［３］および１６２［４］の組と、プリチャージスイッチ１６２［５］および１６２［６］の組と、プリチャージスイッチ１６２［７］および１６２［８］の組とである。
【０１４９】
例えば、プリチャージスイッチ１６２［１］および１６２［２］が導通状態に設定されている期間では、第１系列および第２系列の信号線１１１の組に隣接する第３系列および第８系列の信号線１１１に接続される書き込みスイッチ１４２［３］および１４２［８］が書き込み選択信号ＳＬ［３］およびＳＬ［８］により導通状態に設定される。
【０１５０】
例えば、デマルチプレクサー１４０［１］に対応する信号線群の第１系列の信号線１１１と第２系列の信号線１１１との間に短絡部ＳＨ３が存在する場合、第８の検査パッド１８８ａおよび１８８ｂ間に電位差を与えることにより電流が流れるため、デマルチプレクサー１４０［１］に対応する信号線群の第１系列の信号線１１１と第２系列の信号線１１１との短絡を検出することができる。
【０１５１】
また、例えば、デマルチプレクサー１４０［１］に対応する信号線群の第２系列の信号線１１１と第３系列の信号線１１１との間に短絡部ＳＨ４が存在する場合、第８の検査パッド１８８ｂとデータ線１１２［１］の図示しない検査パッドとの間に電位差を与えることにより電流が流れる。このため、デマルチプレクサー１４０［１］に対応する信号線群の第２系列の信号線１１１と第３系列の信号線１１１との短絡を検出することができる。すなわち、第８の検査パッド１８８ａ、１８８ｂおよびデータ線１１２の図示しない検査パッドの３つの検査パッド間に電位差を与えることにより、互いに隣接する信号線１１１の短絡を検査することができる。次に、図２４を参照して、互いに隣接する信号線１１１の短絡を検査する短絡検査の別の例について説明する。
【０１５２】
図２４は、互いに隣接する信号線１１１の短絡を検査する短絡検査の別の例の説明図である。図２４に示す短絡検査では、例えば、第１の検査パッド１８３、第２の検査パッド１８４、第３の検査パッド１８５、第４の検査パッド１８６および第７の検査パッド１８９は、ハイインピーダンスに設定される。この場合、検査モード信号ＴＸがプルアップ抵抗によりハイレベルに維持されるため、検査制御信号ＳＯＵＴ［１］〜ＳＯＵＴ［ｋ］がハイレベルに維持される。第５の検査パッド１８７［１］〜１８７［８］には、ハイレベルの電圧が印加される。すなわち、図２４に示す短絡検査では、全ての検査制御信号ＳＯＵＴ［１］〜ＳＯＵＴ［ｋ］を強制的にハイレベルに設定し、全てのプリチャージ制御信号ＰＳＬ［１］〜ＰＳＬ［８］をハイレベルに設定することにより、全てのプリチャージスイッチ１６２を導通状態に設定する。
【０１５３】
互いに隣接する信号線１１１間に短絡部ＳＨ３等が存在する場合、第８の検査パッド１８８ａおよび１８８ｂ間に電位差を与えることにより電流が流れるため、互いに隣接する信号線１１１間の短絡部ＳＨの有無を検出することができる。
【０１５４】
なお、図２４に示す短絡検査では、検査モード信号ＴＸ、第１クロック信号ＣＬＫおよび第２クロック信号ＣＬＫＢが、図１８の短絡検査と同じように、電気光学パネル１００Ｃに供給され、スタートパルスＤＸがハイレベルに維持されてもよい。この場合でも、全ての検査制御信号ＳＯＵＴ［１］〜ＳＯＵＴ［ｋ］は、ハイレベルに維持される。次に、図２５を参照して、信号線１１１の断線を検査する断線検査の一例について説明する。
【０１５５】
図２５は、信号線１１１の断線を検査する断線検査の一例の説明図である。図２５に示す断線検査では、検査モード信号ＴＸ、第１クロック信号ＣＬＫ、第２クロック信号ＣＬＫＢ、スタートパルスＤＸおよびプリチャージ制御信号ＰＳＬ［１］〜ＰＳＬ［８］が、図１９の断線検査と同じように、電気光学パネル１００Ｃに供給される。例えば、プリチャージスイッチ１６２［１］が導通状態に設定されている期間では、第１系列の信号線１１１に接続される書き込みスイッチ１４２［１］が書き込み選択信号ＳＬ［１］により導通状態に設定される。図２５のバツ印は、断線を示す。
【０１５６】
例えば、デマルチプレクサー１４０［１］に対応する信号線群の第１系列の信号線１１１に断線部ＤＣ３が存在する場合、第８の検査パッド１８８ａとデータ線１１２［１］の図示しない検査パッドとの間に電位差を与えても、電流は流れない。これに対し、信号線１１１が断線していない場合、例えば、第８の検査パッド１８８ａとデータ線１１２［１］の図示しない検査パッドとの間に電位差を与えることにより電流が流れる。すなわち、第８の検査パッド１８８ａとデータ線１１２との間に電位差を与えることにより、信号線１１１の断線を検出することができる。次に、図２６を参照して、信号線１１１の断線を検査する断線検査の別の例について説明する。
【０１５７】
図２６は、信号線１１１の断線を検査する断線検査の別の例の説明図である。図２５に示す断線検査では、検査モード信号ＴＸ、第１クロック信号ＣＬＫ、第２クロック信号ＣＬＫＢおよびスタートパルスＤＸが、図１９の断線検査と同じように、電気光学パネル１００Ｃに供給される。なお、第５の検査パッド１８７［１］〜１８７［８］には、例えば、図２８に示すように、検査制御信号ＳＯＵＴがハイレベルの期間Ｔ内に、プリチャージスイッチ１６２の組毎に順番に導通状態に設定するプリチャージ制御信号ＰＳＬ［１］〜ＰＳＬ［８］が供給される。プリチャージスイッチ１６２の組は、例えば、プリチャージスイッチ１６２［１］および１６２［２］の組と、プリチャージスイッチ１６２［３］および１６２［４］の組と、プリチャージスイッチ１６２［５］および１６２［６］の組と、プリチャージスイッチ１６２［７］および１６２［８］の組とである。
【０１５８】
例えば、プリチャージスイッチ１６２［１］および１６２［２］が導通状態に設定されている期間では、第１系列および第２系列の信号線１１１に接続される書き込みスイッチ１４２［１］および１４２［２］が書き込み選択信号ＳＬ［１］およびＳＬ［２］により導通状態に設定される。図２６のバツ印は、断線を示す。
【０１５９】
例えば、デマルチプレクサー１４０［１］に対応する信号線群の第１系列の信号線１１１に断線部ＤＣ３が存在する場合、第８の検査パッド１８８ａとデータ線１１２［１］の図示しない検査パッドとの間に電位差を与えても、電流は流れない。これに対し、信号線１１１が断線していない場合、例えば、第８の検査パッド１８８ａとデータ線１１２［１］の図示しない検査パッドとの間に電位差を与えることにより電流が流れる。すなわち、第８の検査パッド１８８ａとデータ線１１２との間に電位差を与えることにより、信号線１１１の断線を検出することができる。
【０１６０】
また、図２６に示す例では、デマルチプレクサー１４０［１］に対応する信号線群の第２系列の信号線１１１が断線していないため、第８の検査パッド１８８ｂとデータ線１１２［１］の図示しない検査パッドとの間に電位差を与えると電流が流れる。なお、デマルチプレクサー１４０［１］に対応する信号線群の第２系列の信号線１１１が断線している場合、第８の検査パッド１８８ｂとデータ線１１２［１］の図示しない検査パッドとの間に電位差を与えても、電流は流れない。すなわち、第８の検査パッド１８８ｂとデータ線１１２との間に電位差を与えることにより、信号線１１１の断線を検出することができる。
【０１６１】
以上、第５実施形態においても、第４実施形態と同様の効果を得ることができる。また、第５実施形態では、電気光学パネル１００Ｃが２系統のプリチャージ電源線１１５ａおよび１１５ｂを有するため、同時に検査される信号線１１１の数を、プリチャージ電源線１１５が１系統の場合に比べて増やすことができる。
【０１６２】
＜第６実施形態＞
第６実施形態と第５実施形態の主な相違点は、第５の検査パッド１８７［２］、１８７［４］、１８７［６］および１８７［８］が第５実施形態の電気光学装置１Ｃから省かれる点である。
【０１６３】
図２７は、第６実施形態に係る電気光学装置１Ｃのプリチャージ回路１５２および検査選択回路１８０Ｍの構成を示す回路図である。図１から図２６で説明済みの要素と同一の要素については、同一の符号を付し、詳細な説明を省略する。図２７に示す電気光学装置１Ｃは、第５の検査パッド１８７［２］、１８７［４］、１８７［６］および１８７［８］が第５実施形態の電気光学装置１Ｃから省かれることを除いて、第５実施形態の電気光学装置１Ｃと同一である。
【０１６４】
電気光学パネル１００Ｃは、製造工程における切断工程で、電気光学パネル１００Ｃの外形を規定する外形線ＬＮＳに沿って切断される。そして、８本のプリチャージ制御信号線１１３は、切断工程より前の工程である検査工程では、外形線ＬＮＳをまたいで配置される。
【０１６５】
また、所定の２本のプリチャージ制御信号線１１３の組は、電気光学パネル１００Ａの外側で互いに接続されている。例えば、電気光学パネル１００Ａの外側で、第１系列および第２系列のプリチャージ制御信号線１１３が互いに接続され、第３系列および第４系列のプリチャージ制御信号線１１３が互いに接続され、第５系列および第６系列のプリチャージ制御信号線１１３が互いに接続され、第７系列および第８系列のプリチャージ制御信号線１１３が互いに接続される。なお、切断工程の後では、８本のプリチャージ制御信号線１１３は、互いに分離される。互いに接続されるプリチャージ制御信号線１１３の組み合わせは、図２７の例に限定されない。次に、図２８を参照して、信号線１１１の状態を検査する際に電気光学パネル１００Ｃに供給する信号について説明する。
【０１６６】
図２８は、信号線１１１の状態を検査する際に電気光学パネル１００Ｃに供給する信号の一例を示す図である。信号線１１１の状態を検査する検査動作では、第１クロック信号ＣＬＫが第１の検査パッド１８３に供給され、第２クロック信号ＣＬＫＢが第２の検査パッド１８４に供給され、ローレベルの検査モード信号ＴＸが第４の検査パッド１８６に供給される。この場合、検査モード制御スイッチ１８２ｆは、非導通状態に設定される。
【０１６７】
検査動作では、ハイレベルの期間が第１クロック信号ＣＬＫの１周期分のスタートパルスＤＸが、第３の検査パッド１８５に供給される。この場合、ハイレベルの期間が第１クロック信号ＣＬＫの０．５周期分の検査制御信号ＳＯＵＴ［１］〜ＳＯＵＴ［ｋ］が、第１クロック信号ＣＬＫの立ち上がりおよび第２クロック信号ＣＬＫＢの立ち上がりに同期して、順次出力される。なお、第５の検査パッド１８７［１］、１８７［３］、１８７［５］および１８７［７］には、検査制御信号ＳＯＵＴがハイレベルの期間Ｔ内にプリチャージスイッチ１６２の組毎に順番に導通状態に設定するプリチャージ制御信号ＰＳＬ［１］、ＰＳＬ［３］、ＰＳＬ［５］およびＰＳＬ［７］が供給される。
【０１６８】
なお、検査動作では、第１系列および第２系列のプリチャージ制御信号線１１３が互いに接続されているため、第２系列のプリチャージ制御信号線１１３には、プリチャージ制御信号ＰＳＬ［１］と同じプリチャージ制御信号ＰＳＬ［２］が供給される。同様に、第４系列のプリチャージ制御信号線１１３には、プリチャージ制御信号ＰＳＬ［３］と同じプリチャージ制御信号ＰＳＬ［４］が供給される。第６系列のプリチャージ制御信号線１１３には、プリチャージ制御信号ＰＳＬ［５］と同じプリチャージ制御信号ＰＳＬ［６］が供給される。第８系列のプリチャージ制御信号線１１３には、プリチャージ制御信号ＰＳＬ［７］と同じプリチャージ制御信号ＰＳＬ［８］が供給される。
【０１６９】
図２９は、電気光学パネル１００Ｃの端子配置の一例を示す図である。電気光学パネル１００Ｃの端子配置は、電気光学パネル１００Ｃ内でプリチャージ電源線１１５がプリチャージ電源線１１５ａとプリチャージ電源線１１５ｂとの２系統に分離していることを除いて、電気光学パネル１００Ａの端子配置と同様である。
【０１７０】
以上、第６実施形態においても、第５実施形態と同様の効果を得ることができる。また、第６実施形態では、電気光学パネル１００Ｃ内で８本のプリチャージ制御信号線１１３のうちの４つに第５の検査パッド１８７［１］、１８７［３］、１８７［５］および１８７［７］がそれぞれ接続される。したがって、第６実施形態では、図２１の構成から第５の検査パッド１８７［２］、１８７［４］、１８７［６］および１８７［８］を省くことができ、検査パッドの数を削減できる。
【０１７１】
＜変形例＞
第１実施形態から第６実施形態までの各形態は多様に変形され得る。具体的な変形の態様を以下に例示する。以下の例示から任意に選択される２以上の態様は、相互に矛盾しない範囲で適宜に併合され得る。
【０１７２】
＜変形例１＞
第１実施形態から第６実施形態までの各形態において、ｎ本の信号線１１１は、ｋ個の信号線群に分類されなくてもよい。
【０１７３】
＜変形例２＞
第４実施形態から第６実施形態までの各形態において、各スイッチ駆動回路１７１は、第２の否定論理積回路１７３の代わりに、否定論理和回路を有してもよい。この場合、第３のインバーター１８２ｅが省かれてもよいし、第３のインバーター１８２ｅの出力端子と否定論理和回路の入力端子との間にインバーターが追加されてもよい。第３のインバーター１８２ｅが省かれる場合、検査モード制御スイッチ１８２ｆを第１の低電位側電源線１１６の代わりに第２の低電位側電源線１１７に接続することにより、検査選択回路１８０Ｍの電源を第２電源電圧ＶＳＳＹと第４電源電圧ＶＤＤＸとの組に統一することができる。
【０１７４】
＜変形例３＞
第１実施形態から第３実施形態までの各形態において、スイッチ駆動回路１７０に含まれるプリチャージスイッチ１６２にバッファー回路１７２を1対1に設けているが、例えば隣接するスイッチ駆動回路１７０の２組を１単位としてバッファー回路１７２を備える構成としてもよい。
【０１７５】
＜変形例４＞
第１実施形態から第６実施形態までの各形態において、電気光学パネル１００、１００Ａ、１００Ｂおよび１００Ｃの各々は、反射型の電気光学装置でもよい。また、電気光学パネル１００、１００Ａ、１００Ｂおよび１００Ｃの各々は、反射型とする場合、信号線１１１等が形成される素子基板に半導体基板を用いるＬＣＯＳ（Liquid Crystal on Silicon）型としてもよい。
【０１７６】
＜応用例＞
この発明は、各種の電子機器に利用され得る。図３０から図３２は、この発明の適用対象となる電子機器の具体的な形態を例示するものである。
【０１７７】
図３０は、電子機器の一例であるパーソナルコンピューター２０００を示す斜視図である。パーソナルコンピューター２０００は、各種の画像を表示する電気光学装置１と、電源スイッチ２００１やキーボード２００２が設置される本体部２０１０とを有する。なお、パーソナルコンピューター２０００は、電気光学装置１の代わりに、電気光学装置１Ａ、電気光学装置１Ｂまたは電気光学装置１Ｃを有してもよい。
【０１７８】
図３１は、電子機器の一例であるスマートフォン３０００を示す正面図である。スマートフォン３０００は、操作ボタン３００１と、各種の画像を表示する電気光学装置１とを有する。操作ボタン３００１の操作に応じて電気光学装置１に表示される画面内容が変更される。なお、スマートフォン３０００は、電気光学装置１の代わりに、電気光学装置１Ａ、電気光学装置１Ｂまたは電気光学装置１Ｃを有してもよい。
【０１７９】
図３２は、電子機器の一例である投射型表示装置４０００を示す模式図である。投射型表示装置４０００は、例えば、３板式のプロジェクターである。図３２に示す電気光学装置１ｒは、赤色の表示色に対応する電気光学装置１であり、電気光学装置１ｇは、緑の表示色に対応する電気光学装置１であり、電気光学装置１ｂは、青色の表示色に対応する電気光学装置１である。
【０１８０】
すなわち、投射型表示装置４０００は、赤、緑および青の表示色に各々対応する３個の電気光学装置１ｒ、１ｇ、１ｂを有する。照明光学系４００１は、光源である照明装置４００２からの出射光のうち赤色成分ｒを電気光学装置１ｒに供給し、緑色成分ｇを電気光学装置１ｇに供給し、青色成分ｂを電気光学装置１ｂに供給する。各電気光学装置１ｒ、１ｇ、１ｂは、照明光学系４００１から供給される各単色光を表示画像に応じて変調するライトバルブ等の光変調器として機能する。投射光学系４００３は、各電気光学装置１ｒ、１ｇ、１ｂからの出射光を合成して投射面４００４に投射する。なお、投射型表示装置４０００は、電気光学装置１の代わりに、電気光学装置１Ａ、電気光学装置１Ｂまたは電気光学装置１Ｃを有してもよい。
【０１８１】
前述のパーソナルコンピューター２０００、スマートフォン３０００および投射型表示装置４０００の各々は、前述の電気光学装置１、電気光学装置１Ａ、電気光学装置１Ｂまたは電気光学装置１Ｃを有するため、表示画像の画質を向上できる。
【０１８２】
なお、本発明が適用される電子機器としては、図３０、図３１および図３２に例示される機器のほか、ＰＤＡ（Personal Digital Assistants）、デジタルスチルカメラ、テレビ、ビデオカメラ、カーナビゲーション装置、車載用の表示器、電子手帳、電子ペーパー、電卓、ワードプロセッサー、ワークステーション、テレビ電話およびＰＯＳ（Point of sale）端末等が挙げられる。さらに、本発明が適用される電子機器としては、プリンター、スキャナー、複写機、ビデオプレーヤーまたはタッチパネルを備える機器等が挙げられる。
【０１８３】
以上、本発明の液晶装置および電子機器は、前述の各実施形態に限定されない。また、本発明の各部の構成は、前述の実施形態の同様の機能を発揮する任意の構成に置換でき、また、任意の構成を付加できる。
【符号の説明】
【０１８４】
１、１Ａ、１Ｂ、１Ｃ、１ｂ、１ｇ、１ｒ…電気光学装置、１００、１００Ａ、１００Ｂ、１００Ｃ…電気光学パネル、１１０…走査線、１１１…信号線、１１２…データ線、１１３…プリチャージ制御信号線、１１４…信号線、１１５、１１５ａ、１１５ｂ…プリチャージ電源線、１１６…第１の低電位側電源線、１１７…第２の低電位側電源線、１１８…高電位側電源線、１１９…検査線、１２０…画素領域、１２２…画素、１２３…液晶素子、１２３ａ…画素電極、１２３ｂ…コモン電極、１２３ｃ…液晶、１２４…保持容量、１２５…画素トランジスター、１３０…走査線駆動回路、１４０…デマルチプレクサー、１４２…書き込みスイッチ、１５０、１５１、１５２…プリチャージ回路、１６０、１６１…プリチャージ選択回路、１６２…プリチャージスイッチ、１６３…検査スイッチ、１７０、１７１…スイッチ駆動回路、１７２…バッファー回路、１７３…第２の否定論理積回路、１７４…第４のインバーター、１８０、１８０Ｍ…検査選択回路、１８１ａ…第１のクロックドインバーター、１８１ｂ…第１のインバーター、１８１ｃ…第４のクロックドインバーター、１８２、１８２Ｍ…単位回路、１８２ａ…第３のクロックドインバーター、１８２ｂ…第２のインバーター、１８２ｃ…第４のクロックドインバーター、１８２ｄ…否定論理積回路、１８２ｅ…第３のインバーター、１８２ｆ…検査モード制御スイッチ、１８３…第１の検査パッド、１８４…第２の検査パッド、１８５…第３の検査パッド、１８６…第４の検査パッド、１８７…第５の検査パッド、１８８…第６の検査パッド、１８８ａ、１８８ｂ…第８の検査パッド、１８９…第７の検査パッド、２００…駆動用集積回路、２１０…信号線駆動回路、２２０…プリチャージ電源、２３０…第１電源、２３２…第２電源、２３４…第３電源、３００…フレキシブル回路基板、３２０…コネクター部、２０００…パーソナルコンピューター、２００１…電源スイッチ、２００２…キーボード、２０１０…設置される本体部、３０００…スマートフォン、３００１…操作ボタン、４０００…投射型表示装置、４００１…照明光学系、４００２…照明装置、４００３…投射光学系、４００４…合成して投射面、Ｄ１…第１方向、ＤＣ１、ＤＣ２、ＤＣ３…断線部、ＳＨ１、ＳＨ２、ＳＨ３、ＳＨ４…短絡部、ＰＮ１０…画像信号端子、ＰＮ１１…プリチャージ制御信号端子、ＰＮ２１…第１電源端子、ＰＮ２２、ＰＮ２２ａ、ＰＮ２２ｂ…プリチャージ電源端子、ＰＮＧ１…第１端子群、ＰＮＧ２…第２端子群。
【図１】
2020013074.tif 000003
【図２】
2020013074.tif 000004
【図３】
2020013074.tif 000005
【図４】
2020013074.tif 000006
【図５】
2020013074.tif 000007
【図６】
2020013074.tif 000008
【図７】
2020013074.tif 000009
【図８】
2020013074.tif 000010
【図９】
2020013074.tif 000011
【図１０】
2020013074.tif 000012
【図１１】
2020013074.tif 000013
【図１２】
2020013074.tif 000014
【図１３】
2020013074.tif 000015
【図１４】
2020013074.tif 000016
【図１５】
2020013074.tif 000017
【図１６】
2020013074.tif 000018
【図１７】
2020013074.tif 000019
【図１８】
2020013074.tif 000020
【図１９】
2020013074.tif 000021
【図２０】
2020013074.tif 000022
【図２１】
2020013074.tif 000023
【図２２】
2020013074.tif 000024
【図２３】
2020013074.tif 000025
【図２４】
2020013074.tif 000026
【図２５】
2020013074.tif 000027
【図２６】
2020013074.tif 000028
【図２７】
2020013074.tif 000029
【図２８】
2020013074.tif 000030
【図２９】
2020013074.tif 000031
【図３０】
2020013074.tif 000032
【図３１】
2020013074.tif 000033
【図３２】
2020013074.tif 000034